(57)【要約】      （修正有）【課題】適切に改善された塗装設備を提供する。【解決手段】複数のコーティング対象１が、コーティング設備を通って順次搬送される搬送経路２、１２と、コーティング対象１が処理される複数の処理ステーション１３〜１７、１８〜２２、２３〜２７とから構成されるコーティング設備、特に自動車の車体を塗装するためのコーティング設備に関する。搬送経路２、１２が、複数の並列分岐５〜９に分岐し、処理ステーション１３〜１７、１８〜２２、２３〜２７の少なくとも１つが、それぞれの並列分岐５〜９に配置される。【選択図】図１
2014168776.tif 000002
【特許請求の範囲】
【請求項１】
コーティング設備であって、
複数のコーティング対象（１）を、前記コーティング設備を通して順次搬送する搬送経路（２，１２）と、
前記コーティング対象（１）を処理する複数の処理ステーション（１３〜１７，１８〜２２，２３〜２７）と、
を含み、
前記搬送経路（２，１２）は複数の並列分岐（５〜９，３０〜３３，３５〜３７，５４〜５７）に分岐しており、
前記処理ステーション（１３〜１７，１８〜２２，２３〜２７）の少なくとも１つが、それぞれの並列分岐に配置されており、
前記搬送経路に到達する前記コーティング対象は、前記搬送経路（２，１２）の分岐する前の部分に配置されており前記コーティング対象を識別する中央読取点により、前記コーティング設備を作動するために先に定義された最適化目標に従って、前記搬送経路の並列分岐の間で分配され、
前記最適化目標は以下の要素、
ｉ）前記コーティング対象を中間保管するための入口または出口側にある緩衝保管領域に必要な大きさを最小にすること、
ｉｉ）前記コーティング設備のコーティング能力を最大にすること、
ｉｉｉ）要望される製品のそれぞれの種類に応じて異なる種類のコーティング対象を出来る限り均等に分配すること、
ｉｖ）入口側の組立領域および／または出口側の最終組立作業領域からの要求項目に最適な方法で対応すること、
ｖ）コーティング品質、
ｖｉ）前記各コーティング対象を搬送するために用いられる搬送滑りの持続時間を最小にし、あるいは制限すること、
ｖｉｉ）コーティング剤が沈殿するのを避けるために、用いられるコーティング剤の保管時間を最小にし、あるいは制限すること、の中から選ばれる少なくとも１つの要素である、
ことを特徴とするコーティング設備。
【請求項２】
前記搬送経路（２、１２）の並列分岐（５〜９，３０〜３３，３５〜３７，５４〜５７）は、出口側で再結合する、
ことを特徴とする請求項１に記載のコーティング設備。
【請求項３】
前記コーティング対象（１）をコーティング剤でコートする少なくとも１つのコーティングステーション（１３〜１７）が、前記搬送経路（２，１２）の並列分岐のそれぞれに配置される、
ことを特徴とする請求項１または２に記載のコーティング設備。
【請求項４】
複数の前記処理ステーション（１３〜１７，１８〜２２，２３〜２７）は、前記搬送経路（２，１２）の並列分岐のそれぞれで一列に配置される、
ことを特徴とする請求項１乃至３のいずれか１項に記載のコーティング設備。
【請求項５】
同数の前記処理ステーション（１３〜１７，１８〜２２，２３〜２７）が、前記並列分岐のそれぞれに配置される、
ことを特徴とする請求項１乃至４のいずれか１項に記載のコーティング設備。
【請求項６】
異なる数の前記処理ステーション（１３〜１７，１８〜２２，２３〜２７）が、前記並列分岐のそれぞれに配置される、
ことを特徴とする請求項１乃至５のいずれか１項に記載のコーティング設備。
【請求項７】
以下の処理ステーション（１３〜１７，１８〜２２，２３〜２７）、即ち、
ａ）入口側に、コーティング剤を塗った後に、前記コーティング対象（１）が乾く第１の蒸発乾燥ステーション（１８〜２２）と、
ｂ）出口側に、コーティング剤を塗った後に、前記コーティング対象（１）が乾く第２の蒸発乾燥ステーション（２３〜２７）と、
ｃ）２台の前記蒸発乾燥ステーション（１８〜２２，２３〜２７）の間に、コーティング剤が前記コーティング対象（１）の１つに塗られるコーティングステーション（１３〜１７）と、を備える前記処理ステーションが、前記搬送経路（２，１２）の各分岐の搬送方向に一列に配置される、
ことを特徴とする請求項１乃至６のいずれか１項に記載のコーティング設備。
【請求項８】
待機ステーションが、前記搬送経路の少なくとも１つの分岐で前記処理ステーションの前方に配置される、
ことを特徴とする請求項１乃至７のいずれか１項に記載のコーティング設備。
【請求項９】
前記搬送経路（２，１２）が、少なくとも前記並列分岐で、前記コーティング対象（１）の二方向の搬送を実現する、
ことを特徴とする請求項１乃至８のいずれか１項に記載のコーティング設備。
【請求項１０】
前記搬送経路（２，１２）が、連続的または断続的な搬送モードを実行する、
ことを特徴とする請求項１乃至９のいずれか１項に記載のコーティング設備。
【請求項１１】
前記搬送経路（２，１２）が、一定の搬送速度または異なる搬送速度で、前記各コーティング対象（１）を搬送する、
ことを特徴とする請求項１乃至１０のいずれか１項に記載のコーティング設備。
【請求項１２】
前記搬送経路（２，１２）の２つの隣接する並列分岐の間に、２本の隣接する分岐で前記処理ステーション（１３〜１７，１８〜２２，２３〜２７）を作動するロボット（Ｈ，Ｒ）が少なくとも１つ存在する、
ことを特徴とする請求項１乃至１１のいずれか１項に記載のコーティング設備。
【請求項１３】
ウェットコートコーティングステーション（１５，１６）が、前記搬送経路（２，１２）の一方の分岐（７，８）に配置され、パワーコートコーティングステーション（１３，１４）が、前記搬送経路（２，１２）の別の分岐（５，６）に配置される、
ことを特徴とする請求項１乃至１２のいずれか１項に記載のコーティング設備。
【請求項１４】
ａ）色切換を伴うことなく、要求頻度の高い色のコーティング剤のみを塗る単色コーティングステーション（１３）が、前記搬送経路（２，１２）の少なくとも一方の分岐（５）に配置され、
ｂ）異なる色のコーティング剤を塗る多色コーティングステーション（１４〜１６）が、前記搬送経路（２，１２）の別の分岐（６〜８）に配置される、
ことを特徴とする請求項１乃至１３のいずれか１項に記載のコーティング設備。
【請求項１５】
ａ）通常作動用の活動状態にあるコーティングステーション（１３〜１６）が、前記搬送経路（２，１２）の一方の分岐（５〜８）に配置され、
ｂ）予備作動用の非活動状態にあるコーティングステーション（１７）が、前記搬送経路（２，１２）の別の分岐（９）に配置される、
ことを特徴とする請求項１乃至１４のいずれか１項に記載のコーティング設備。
【請求項１６】
ａ）自動車の車体用のコーティングステーション（１３〜１５）が、前記搬送経路（２，１２）の一方の分岐（５〜７）に配置され、
ｂ）付属品用のコーティングステーション（１６）が、前記搬送経路（２，１２）の別の分岐（８）に配置される、
ことを特徴とする請求項１乃至１５のいずれか１項に記載のコーティング設備。
【請求項１７】
ａ）特定の１つの色のコーティング剤のみを、塗装する単色コーティングステーション（５１）が、前記搬送経路（２，１２）の各分岐のそれぞれに配置され、
ｂ）関連するコーティングステーション（５１）からのコーティング剤のみを再使用する単色再利用装置（５３）が、前記搬送経路（２，１２）の各分岐のそれぞれに配置される、
ことを特徴とする請求項１乃至１６のいずれか１項に記載のコーティング設備。
【請求項１８】
２台のクリアコート塗装ロボット（４２，４３）と２台のベースコート塗装ロボット（４４，４５）を、少なくとも１つのコーティングステーションに配置し、前記ロボットの全ては、ハンドリングロボットとしても用いられる、
ことを特徴とする請求項１乃至１７のいずれか１項に記載のコーティング設備。
【請求項１９】
前記搬送経路（２，１２）の各並列分岐に、追加の読取点の配置を要しない、
ことを特徴とする請求項１乃至１８のいずれか１項に記載のコーティング設備。
【請求項２０】
空気条件が、前記搬送経路（２，１２）の前記並列分岐にある前記処理ステーション（１３〜１７，１８〜２２，２３〜２７）の間で変化する、
ことを特徴とする請求項１乃至１９のいずれか１項に記載のコーティング設備。
【請求項２１】
前記各処理ステーション（１３〜１７，１８〜２２，２３〜２７）は、標準モジュールを形成する、
ことを特徴とする請求項１乃至２０のいずれか１項に記載のコーティング設備。
【請求項２２】
ａ）異なる前記処理ステーション（１３〜１７，１８〜２２，２３〜２７）が、均一な外部寸法を有するか、
ｂ）異なる前記処理ステーション（１３〜１７，１８〜２２，２３〜２７）が、圧縮空気、コーティング剤、洗浄剤、供給空気、排出空気、制御信号、測定信号および／または電力供給と均一な接続を有する、
ことを特徴とする請求項２１に記載のコーティング設備。
【請求項２３】
前記搬送経路（２，１２）が、複数の並列分岐（５〜９，３０〜３３，３５〜３７，５４〜５７）に分岐する複数の分岐点をそれぞれ有し、前記分岐点は、搬送方向に一列で配置される、
ことを特徴とする請求項１乃至２２のいずれか１項に記載のコーティング設備。
【請求項２４】
乾燥ステーション（７１〜７４）、特にプラズマ乾燥ステーションまたは放射線硬化装置が、コーティングステーションの後方の前記搬送経路（２，１２）で搬送方向に配置される、
ことを特徴とする請求項１乃至２３のいずれか１項に記載のコーティング設備。
【請求項２５】
前記処理ステーション（１３〜１７，１８〜２２，２３〜２７）は、前記搬送経路（２，１２）の異なる並列分岐で、異なる防爆システムおよび／または異なる防火システムを有する、
ことを特徴とする請求項１乃至２４のいずれか１項に記載のコーティング設備。
【請求項２６】
ａ）前記各コーティングステーションが、ブース入口とブース出口を有する実質的に閉ざされたブースとしてそれぞれ設計され、
ｂ）前記ブース入口および／または前記ブース出口は、シャッター、特に回転シャッターによって閉じられる、
ことを特徴とする請求項１乃至２５のいずれか１項に記載のコーティング設備。
【請求項２７】
前記シャッターは、ロック装置によって固定されており、前記ロック装置は、鍵、ＰＩＮコード、指紋またはコードカードによって操作できる、
ことを特徴とする請求項２６に記載のコーティング設備。
【請求項２８】
一方で水を基材とする塗料用に、他方で溶剤を基材とする塗料用に、別々のコーティング剤供給システムを備え、
前記２基の別々のコーティング剤供給システムが、同一の塗装ロボットまたは異なる塗装ロボットを供給する、
ことを特徴とする請求項１乃至２７のいずれか１項に記載のコーティング設備。
【請求項２９】
前記搬送経路の前記各分岐（７６）は、中央分岐点（７５）から実質的に放射状に分岐し、前記コーティング対象を、分岐点（７５）を介して供給し、または除去する、
ことを特徴とする請求項１乃至２８のいずれか１項に記載のコーティング設備。
【請求項３０】
昇降動作を介して前記コーティング対象を供給する螺旋状昇降機が、前記搬送経路の前記中央分岐点（７５）に配置される、
ことを特徴とする請求項２９に記載のコーティング設備。
【請求項３１】
前記各処理ステーション（８４〜８７）にコーティング剤またはその他の流体を供給する環状ライン（９２）を有し、前記処理ステーション（８４〜８７）は、一列に配置される、
ことを特徴とする請求項１乃至３０のいずれか１項に記載のコーティング設備。
【請求項３２】
ａ）前記環状ライン（９２）は、送出ライン（９３）と戻りライン（９４）を有し、
ｂ）前記送出ライン（９３）は、前記処理ステーション（８４〜８７）の列に沿って実質的に直線状に布設されており、
ｃ）前記戻りライン（９４）は、前記処理ステーション（８４〜８７）の列に沿って実質的に直線状に布設されている、
ことを特徴とする請求項３１に記載のコーティング設備。
【請求項３３】
ａ）前記各処理ステーション（８４〜８７）での前記環状ライン（９２）は、前記各処理ステーション（８４〜８７）の装置に前記コーティング剤またはその他の流体を供給するために、供給目的でエネルギーガイド鎖が接続されるエネルギーガイド鎖放出口（９５〜９８）を、それぞれ有し、
ｂ）前記エネルギーガイド鎖放出口（９５〜９８）は、前記各処理ステーション（８４〜８７）で中央に、つまり、前記処理ステーション（８４〜８７）の列に関して、および／または前記各処理ステーション（８４〜８７）に関して配置される、
ことを特徴とする請求項３２に記載のコーティング設備。
【請求項３４】
ａ）前記環状ライン（９２）の前記送出ライン（９３）は、前記処理ステーション（８４〜８７）の列に沿って、前記処理ステーション（８４〜８７）の周りで曲がりくねって布設され、
ｂ）前記環状ライン（９２）の前記戻りライン（９４）は、前記処理ステーション（８４〜８７）の列に沿って、実質的に直線状に布設される、
ことを特徴とする請求項３１に記載のコーティング設備。
【請求項３５】
ａ）前記環状ライン（９２）の前記送出ライン（９３）は、前記処理ステーション（８４〜８７）の列に沿って実質的に直線状に布設され、
ｂ）前記環状ライン（９２）の前記戻りライン（９４）は、前記処理ステーション（８４〜８７）の列に沿って、前記処理ステーション（８４〜８７）の周りで曲がりくねって布設される、
ことを特徴とする請求項３１に記載のコーティング設備。
【請求項３６】
曲がりくねった前記送出ライン（９３）または前記戻りライン（９４）は、隣接する前記処理ステーション（８４〜８７）の間にループをそれぞれ形成し、曲がりくねった前記送出ライン（９３）または前記戻りライン（９４）が、前記処理ステーション（８４〜８７）の列の同一側に、それぞれ布設される、
ことを特徴とする請求項３４または３５に記載のコーティング設備。
【請求項３７】
曲がりくねった前記送出ライン（９３）または前記戻りライン（９４）は、隣接する前記処理ステーション（８４〜８７）の間で、前記処理ステーション（８４〜８７）の列の一方の側から前記処理ステーション８４〜８７の列の反対側に、それぞれ変わる、
ことを特徴とする請求項３４または３５に記載のコーティング設備。
【請求項３８】
前記処理ステーション（８４〜８７）は塗装ブースであり、それぞれに、以下の領域、
即ち、
ａ）コーティング剤で前記コーティング対象をコートする塗装領域と、
ｂ）前記塗装領域の上方に配置され、圧力室を形成し、そこから新鮮な空気を前記塗装領域に吹き込むプレナムと、
ｃ）前記塗装領域の下方に配置され、前記塗装領域からもたらされる過剰の前記コーティング剤が洗浄される洗浄領域と、
ｄ）該塗装ブースを機械的に支持するブース支持部と、を有する、
ことを特徴とする請求項３１乃至３７のいずれか１項に記載のコーティング設備。
【請求項３９】
前記環状ライン（９２）は、少なくとも部分的に前記プレナム、前記洗浄領域、または前記ブース支持部を通って布設される、
ことを特徴とする請求項３８に記載のコーティング設備。
【請求項４０】
ａ）コーティング設備を通る搬送経路（２，１２）に沿ってコーティング対象（１）を搬送するステップと、
ｂ）複数の処理ステーション（１３〜１７，１８〜２２，２３〜２７）で、前記コーティング対象（１）を処理するステップと、
ｃ）前記搬送経路（２，１２）の分岐点前で、進入する前記コーティング対象（１）を中央読取ステーションで識別するステップと、
ｄ）少なくとも１つの前記処理ステーション（１３〜１７，１８〜２２，２３〜２７）がそれぞれに配置される前記搬送経路（２，１２）の複数の並列分岐（５〜９，３０〜３３，３５〜３７，５４〜５７）の間で、前記コーティング対象（１）を分配するステップであって、
前記搬送経路に到達する前記コーティング対象は、該コーティング対象の識別を行った前記中央読取ステーションにより、前記コーティング設備を作動するために先に定義された最適化目標に従って、前記搬送経路の並列分岐の間で分配され、
前記最適化目標は以下の要素、
ｉ）前記コーティング対象を中間保管するための入口または出口側にある緩衝保管領域に必要な大きさを最小にすること、
ｉｉ）前記コーティング設備のコーティング能力を最大にすること、
ｉｉｉ）要望される製品のそれぞれの種類に応じて異なる種類のコーティング対象を出来る限り均等に分配すること、
ｉｖ）入口側の組立領域および／または出口側の最終組立作業領域からの要求項目に最適な方法で対応すること、
ｖ）コーティング品質、
ｖｉ）前記各コーティング対象を搬送するために用いられる搬送滑りの持続時間を最小にし、あるいは制限すること、
ｖｉｉ）コーティング剤が沈殿するのを避けるために、用いられるコーティング剤の保管時間を最小にし、あるいは制限すること、の中から選ばれる少なくとも１つの要素である、ステップと、を有する
ことを特徴とするコーティング設備の作動方法。
【請求項４１】
ａ）塗装工程のための工程定義パラメーターを決定するステップと、
ｂ）前記搬送経路（２，２１）の異なる分岐（５〜９，３０〜３３，３５〜３７，５４〜５７）の間で、前記工程定義パラメーターの関数に従って、前記コーティング対象（１）を分配するステップと、を有する、
ことを特徴とする請求項４０に記載のコーティング設備の作動方法。
【請求項４２】
前記コーティング対象（１）の分散のための前記工程定義パラメーターは、以下のパラメーターの少なくとも１つ、即ち、
ａ）コートされるコーティング対象の種類、
ｂ）塗装されるコーティング剤の色、
ｃ）要求されるコーティングの質、
ｄ）塗装されるコーティング剤の種類、
ｅ）塗装されるコーティング剤の爆発の危険性および／または火災の危険性、および／または、
ｆ）コーティング剤特有の塗装パラメーター、を含む、
ことを特徴とする請求項４１に記載のコーティング設備の作動方法。
【請求項４３】
前記搬送経路（２，１２）の異なる分岐（５〜９，３０〜３３，３５〜３７，５４〜５７）の間で、自動車の車体が一方に分配され、付属品が他方に分配される、
ことを特徴とする請求項４０乃至４２のいずれか１項に記載のコーティング設備の作動方法。
【請求項４４】
一方で要求頻度の高い色が、他方で要求頻度の低い色が、前記搬送経路（２，１２）の異なる分岐で塗られる、
ことを特徴とする請求項４０乃至４３のいずれか１項に記載のコーティング設備の作動方法。
【請求項４５】
進入する前記コーティング対象（１）を識別するときに、それぞれ、現時間を測定して格納する、
ことを特徴とする請求項４０乃至４４のいずれか１項に記載のコーティング設備の作動方法。
【請求項４６】
以下のステップ、即ち、
前記中央読取装置と、関連する時間による識別および前記搬送経路（２，１２）の異なる分岐（５〜９，３０〜３３，３５〜３７，５４〜５７）の間での分配に従って、進入する全ての前記コーティング対象（１）の前記コーティング設備内での位置を決定するステップを有する、
ことを特徴とする請求項４５に記載のコーティング設備の作動方法。
【請求項４７】
以下のステップ、即ち、
前記搬送経路（２，１２）の異なる並列分岐で、前記処理ステーション（１３〜１７，１８〜２２，２３〜２７）に対して、異なる空気状態を定めるステップを含む、
ことを特徴とする請求項４０乃至４６のいずれか１項に記載のコーティング設備の作動方法。
【請求項４８】
以下のステップ、即ち、
ａ）ベースコート塗装ロボット（４４，４５）でコーティング対象（１）にベースコートを塗るステップと、
ｂ）ベースコートを塗る間に、クリアコート塗装ロボット（４２，４３）で前記コーティング対象（１）をハンドリングするステップと、
ｃ）前記クリアコート塗装ロボット（４２，４３）で前記コーティング対象（１）にクリアコートを塗るステップと、
ｄ）クリアコートを塗る間に、前記ベースコート塗装ロボット（４４，４５）で前記コーティング対象（１）をハンドリングするステップと、を含む、
ことを特徴とする請求項４０乃至４７のいずれか１項に記載のコーティング設備の作動方法。
【請求項４９】
ウェットコートが、前記搬送経路（２，１２）の一方の分岐で塗られ、パウダーコートが、前記搬送経路（２，１２）の別の分岐で塗られる、
ことを特徴とする請求項４０乃至４８のいずれか１項に記載のコーティング設備の作動方法。
【請求項５０】
前記コーティング対象（１）は、少なくとも前記搬送経路（２，１２）の前記並列分岐で二方向に搬送される、
ことを特徴とする請求項４０乃至４９のいずれか１項に記載のコーティング設備の作動方法。
【請求項５１】
前記コーティング対象（１）は、連続的または断続的に前記搬送経路（２，１２）に沿って搬送される、
ことを特徴とする請求項４０乃至５０のいずれか１項に記載のコーティング設備の作動方法。
【請求項５２】
前記コーティング対象（１）は、前記搬送経路（２，１２）に沿って、一定の速度または異なる速度で搬送される、
ことを特徴とする請求項４０乃至５１のいずれか１項に記載のコーティング設備の作動方法。
【請求項５３】
単層パウダーコートが前記コーティング対象（１）に塗られるコーティングステーションを有する、
ことを特徴とする請求項４０乃至５２のいずれか１項に記載のコーティング設備の作動方法。
【請求項５４】
前記搬送経路（２，１２）の２本の隣接する分岐の間に配置されるロボットは、前記２つの隣接する分岐で、前記処理ステーション（１３〜１７，１８〜２２，２３〜２７）を作動する、
ことを特徴とする請求項４０乃至５３のいずれか１項に記載のコーティング設備の作動方法。
【請求項５５】
ａ）特定の１つの色のコーティング剤のみが、前記搬送経路（２，１２）の各分岐のそれぞれで塗られ、
ｂ）前記搬送経路（２，１２）の各分岐で塗られる過剰のコーティング剤は、前記各分岐で個別に再使用される、
ことを特徴とする請求項４０乃至５４のいずれか１項に記載のコーティング設備の作動方法。
【請求項５６】
前記搬送経路（２，１２）の一方の分岐上の処理ステーションが作動する一方で、前記搬送経路（２，１２）の別の分岐上の別の処理ステーションは、
ａ）据え付けられ、
ｂ）除去され、
ｃ）保持され、
ｄ）試験され、
ｅ）最適化され、または、
ｆ）訓練目的で用いられる、
ことを特徴とする請求項４０乃至５５のいずれか１項に記載のコーティング設備の作動方法。
【請求項５７】
以下のステップ、即ち、
ａ）前記搬送経路の各分岐での工程の進捗を決定するステップと、
ｂ）進入する前記コーティング対象を、工程の進捗が最大の前記搬送経路の分岐にそれぞれ分配するステップと、を含む、
ことを特徴とする請求項４０乃至５６のいずれか１項に記載のコーティング設備の作動方法。
【請求項５８】
前記最適化目標は、異なる優先順位を有する、
ことを特徴とする請求項４０乃至５７のいずれか１項に記載のコーティング設備の作動方法。
【請求項５９】
プライマーおよび／またはベースコートおよび／またはクリアコートは、少なくとも１つのコーティングステーションで、湿式で順次塗られる、
ことを特徴とする請求項４０乃至５８のいずれか１項に記載のコーティング設備の作動方法。
【請求項６０】
複数の塗装工程ステップは、それぞれの前記コーティング対象が中間搬送されることなく、前記各コーティングステーションで、それぞれ前記コーティング対象に対して順次実行される、
ことを特徴とする請求項４０乃至５９のいずれか１項に記載のコーティング設備の作動方法。
【請求項６１】
以下の塗装工程ステップ、即ち、
ａ）プライマーを塗るステップと、
ｂ）ベースコートを塗るステップと、
ｃ）クリアコートを塗るステップと、
ｄ）前記コーティング対象を内部塗装するステップと、
ｅ）前記コーティング対象を外部塗装するステップと、が順次実行される、
ことを特徴とする請求項６０に記載のコーティング設備の作動方法。
【請求項６２】
以下の塗装工程ステップ、即ち、
ａ）プライマーを前記コーティング対象の内部と前記コーティング対象の外表面に塗るステップおよび／または、
ｂ）ベースコートを前記コーティング対象の内部と前記コーティング対象の外表面に塗るステップおよび／または、
ｃ）クリアコートを前記コーティング対象の内部と前記コーティング対象の外表面に塗るステップが、それぞれの前記コーティング対象が中間搬送されることなく、少なくとも１つの前記コーティングステーションで実行される、
ことを特徴とする請求項６０または６１に記載のコーティング設備の作動方法。
【発明の詳細な説明】
【技術分野】
【０００１】
本発明は、コーティング設備、特に自動車の車体塗装用のコーティング設備および独立請求項に示すような、コーティング設備の作動方法に関する。
【背景技術】
【０００２】
例えば、自動車の車体や付属品のような部品を連続的に塗装する近年の塗装設備は、一般に、塗装または処理の各ステップが、順次実行される１または複数の塗装ラインを備えている。このため、塗装される部品は、塗装設備と各処理ステーションを通り、直線状の搬送経路に沿って搬送される。一般に、このような塗装設備は、”ライン追跡”モード、つまり、塗装される部品が各処理ステーションを通る塗装ラインと搬送経路に沿って連続的に搬送されるモードで作動する。また、このような塗装設備が、”ストップ・アンド・ゴー”モード、つまり、塗装される部品が塗装ラインに沿って、順次搬送されるモードで作動することも知られている。いずれの場合も、ベルトの速度と連続する部品の間隔によって、塗装設備の能力が決定される。
【０００３】
塗装装置に要求される能力によって、これに必要な噴霧器の台数も決まり、また、必要な塗装ロボットや機械の台数も決まる。必要とされる塗装ロボットや機械の台数は、各塗装ゾーンの長さに影響を与えるので、塗装ライン全体の長さにもその影響を与える。
【０００４】
ベルト速度とサイクルタイムが増加すれば、必要な塗装結果を得るためには、より多くの塗装ロボットを使用しなければならない。しかしながら、塗装ロボットの台数が増えるということは、塗装に係る実作業時間が減少することを意味するので、その結果、各塗装ロボットの効率は低下する。例えば、ベルト速度とサイクルタイムが増加すると、各塗装ロボットの非使用時間（無駄時間）に対する実作業時間の比率は悪くなる。また、塗装ロボットの台数の増加とそれによる噴霧器の台数の増加は、塗装色あるいは塗装対象を切り替える度に生じる塗料の損失を大きくし、さらなる効率の低下につながる。
【０００５】
前記塗装設備をストップ・アンド・ゴーモードで運転する場合には、最も塗装に手間がかかる車型に、塗装ライン全体のサイクルタイムを適合させなければならないという不都合もある。例えば、塗装に大きな手間がかかる高級リムジンと手間がかからない簡易な自動車の両方が、単一の塗装ラインで塗装されるようにすると、前記高級リムジンに対する塗装の手間が大きいので、実施可能な最大サイクルタイムは、前記高級リムジンによって制限される。その結果、塗装工程全体の速度が低下する。
【０００６】
また、前述した公知の塗装設備は、塗料の送給路が分かれている。そのため、すべてのタッピングポイントを接続しなければならないので、塗装設備が複雑で高価になるという問題もある。
【発明の概要】
【発明が解決しようとする課題】
【０００７】
したがって、本発明は、適切に改善された塗装設備を提供することを目的とする。
【課題を解決するための手段】
【０００８】
この目的は、独立項に記載された、本発明に係るコーティング設備とその作動方法によって達成される。
【０００９】
本発明は、コーティング設備を通過する直線状の搬送経路を複数の並列分岐に分岐するという技術常識を包含する。なお、前記複数の並列分岐のそれぞれには、少なくとも１つの処理ステーションが配置される。
【００１０】
本発明の文脈で用いられる”処理ステーション”という用語は、通常の意味で解釈されるべきであり、コーティング対象（車体など）が、例えば、フィラー、ベースコートまたはクリアコートのようなコーティング剤でコートされる塗装ステーションやブースに関連する。さらに、本発明の文脈で用いられる”処理ステーション”という用語は、コーティング工程の後にコーティング対象が乾く乾燥ステーションにも関連する。乾燥は、例えば、Ｘ線照射やプラズマ炉によって行われる。さらに、”処理ステーション”という用語は、コーティング対象が汚れを落とされ、脱脂され、洗浄され、燐酸化され、不動態化され、被覆され、曝露され、検査され、または修理されたり、ひびがシールされたりする処理ステーションをも包含する。
【００１１】
本発明の文脈で用いられる”コーティング対象”という用語は、同様に、通常の意味で解釈されるべきであり、自動車の車体、自動車の車体の一部または付属品に限定されない。それどころか、本発明は、先行技術から知られているので、ここでの詳細な記載を要しないその他のコーティング対象のコーティングにも適している。
【００１２】
さらに、本発明の文脈で用いられる”搬送経路の並列分岐”という用語は、各分枝が、幾何学的な意味で互いに平行に向かい合うという正確な幾何学的意味に限定されない。むしろ、この用語は、搬送経路の各分岐でコーティング対象の並列処理が可能であることだけを意味している。
【００１３】
そのため、搬送経路の各分岐は、例えば搬送経路の中央分岐点から実質的に放射状に分岐することもできる。この場合、一方では、コーティング対象が中央分枝点を介して供給された後、搬送経路の各放射状の分岐の間で分配されてもよい。もっとも、その代わりに、コーティング対象が、搬送経路の各放射状の分岐を介して、分岐点を通り、さらに運搬されることもできる。ここで、任意の数の処理ステーション、例えば、３または８個の処理ステーションが、搬送経路の各放射状の分岐のそれぞれに配置されてもよい。
【００１４】
本発明の実施形態の好ましい一例では、スイッチが、搬送経路の入口側の分岐点に配置されており、そのスイッチを介して、コーティング対象が、目的とする方法で、並列分岐の一つに供給されてもよい。このことにより、異なる分岐の間で各コーティング対象の分配が達成されると好都合である。
【００１５】
搬送経路の並列分岐は、単一の搬送経路を形成するために出口側で再結合されると好ましく、前記単一の搬送経路上に、搬送経路の異なる並列分岐で先に処理された全てのコーティング対象が搬送されてもよい。
【００１６】
さらに、コーティング対象がコーティング剤でコートされる少なくとも１つのコーティングステーションが、搬送経路の並列分岐のそれぞれに配置されると好ましい。その結果、例えば、塗装に手間がかかる自動車の車体が１つの分岐で塗装される一方で、塗装に手間がかからない自動車の車体は搬送経路の別の分岐で塗装され、コーティング設備全体の融通性が増すので都合がよい。この場合、塗装に手間がかからない自動車の車体を、独立したサイクルタイムまたはベルト速度で塗装できるので、塗装に手間がかかる自動車の車体に要する比較的長い処理時間によって、全塗装工程は減速されることがない。
【００１７】
さらに、例えば、塗装ステーションおよび１または複数の蒸発乾燥ステーションのような複数の処理ステーションが、搬送経路の並列分岐のそれぞれで、一列に配置されてもよい。
【００１８】
ある変形例では、この場合、同じ数の処理ステーションが、搬送経路の並列分岐のそれぞれに配置されてもよい。実質的に同じ塗装工程が並列経路で実行されていれば有益であり、前記塗装工程では、用いられる色のみがそれぞれ異なっている。
【００１９】
一方、もう一つの変形例では、異なる数の処理ステーションが、搬送経路の並列分岐に配置される。異なる分岐で異なる塗装工程が実行されることになっていれば有益であり、前記塗装工程には、異なる数の処理ステーションを要する。
【００２０】
本発明に係るコーティング設備の実施形態の一例では、入口側の蒸発乾燥ステーション、出口側の蒸発乾燥ステーションおよびそれらの間に配置されるコーティングステーションは、搬送経路の並列分岐の少なくとも一つに配置され、搬送方向に一列に配置される。
【００２１】
このコーティング設備の作動中では、２つのコーティング対象は、搬送経路の適切な分岐に前後に並んで搬送されるので、出口側のコーティング対象は、入口側のコーティング対象が入口側の蒸発乾燥ステーションに配置される間に、中央コーティングステーションに配置される。コーティングステーションに配置されたコーティング対象は、コーティング剤でコートされる。
【００２２】
このコーティング工程が終了すると、２つのコーティング対象は、１つの処理ステーションによって、連なって出口方向に搬送されるので、先にコートされたコーティング対象は、入口側の蒸発乾燥ステーションの待機位置に先に配置されたコーティング対象が、中央のコーティングステーションに搬送されている間に、出口側の蒸発乾燥ステーションに配置される。そして、第２のコーティング対象も、先にコートされたコーティング対象が、出口側の蒸発乾燥ステーションで乾く間に、コーティングステーションで、コーティング剤によりコートされる。
【００２３】
この第２のコーティング工程が終了すると、２つのコーティング対象は、１つの処理ステーションによって後方に搬送されるので、第１のコーティング対象は、中央のコーティングステーションで先にコートされたコーティング対象が、入口側の蒸発乾燥ステーションに配置されている間に、再度コーティングステーションに配置される。この配置において、第２のコーティング対象は、第１のコーティング対象が中央のコーティングステーションで再度コーティング剤をコートされている間に、入口側の蒸発乾燥ステーションで乾く。
【００２４】
このコーティング工程が終了すると、その後、２つのコーティング対象は、ある処理ステーションによって、再び連なって出口方向に搬送されるので、第１のコーティング対象は、入口側の蒸発乾燥ステーションで先に乾かされたコーティング対象が中央のコーティングステーションに搬送される間に、出口側の蒸発乾燥ステーションに配置される。その後、第２のコーティング対象も、第１のコーティング対象が出口側の蒸発乾燥ステーションで乾く間に、２回目のコートをされる。
【００２５】
したがって、このように、２つのコーティング対象は、搬送経路の各々の分岐で、それぞれ交互にコートされて乾かされる。これにより、コーティング設備の高性能が保証される。したがって、搬送経路は、少なくとも並列分岐の一つでコーティング対象の二方向の搬送を実現する。
【００２６】
さらに、搬送経路が、”ライン追跡”として知られる連続的なモードまたは”ストップ・アンド・ゴー”として知られる断続的な搬送モードを任意に実行してもよいことが言及されるべきである。これらのモードは、先行技術から知られるので、本願明細書では更なる詳細な記載を要しない。
【００２７】
搬送経路が、一定の搬送速度または異なる搬送速度でそれぞれのコーティング対象を搬送することも本発明の範囲内において可能である。その結果、本発明に係るコーティング設備の融通性はかなり増す。例えば、搬送経路の各並列分岐での搬送速度を互いに独立させて、複雑なコーティング対象が、一つの分岐で遅い搬送速度で搬送される一方で、単純なコーティング対象は、搬送経路の別の分岐で速い搬送速度で搬送されるようにしてもよい。さらに、それぞれのコーティング対象の搬送速度を、互いに完全に独立させることもでき、このことは、分岐内または分岐前の両方に当て嵌まる。このように、例えば、連続するコーティング対象間の間隙を狭めたり広げたりするために、異なるコーティング対象に対する単一の搬送経路での搬送速度を、様々に変化させることが可能である。さらに、サイクルタイムや搬送速度を、それぞれのコーティング対象の塗装困難性に適合させてもよい。さらに、サイクルタイムや搬送速度を、車型、塗料の種類、色合い、塗装製造業者、要求されるコーティング品質および所定の品質特性に従って、変化させてもよい。したがって、本発明は、各工程ステップが、サイクルタイムを最適に利用できるようにするので、塗装設備の能力を向上させることができる。
【００２８】
本発明の実施形態の好ましい一例として、搬送経路の２つの隣接する並列分岐の間に、２つの隣接する分岐で処理ステーションを作動するロボットが、少なくとも１台存在することがさらに提供される。その結果、１台のロボットが、２つの隣接する並列分岐で、単一の処理ステーションのみならず２つの隣接する処理ステーションを作動するので、必要なロボットの台数を減らすことができる。また、非活動状態にあるムダ時間に対する実作業時間の比率が改善されるので、各ロボットの効率が向上する。
【００２９】
本発明の範囲内において、後述されるように、搬送経路の異なる並列分岐に、異なるコーティングステーションを配置してもよい。
【００３０】
例えば、ウェットコートのコーティングステーションを、搬送経路のある分岐に配置して、パウダーコートのコーティングステーションを、搬送経路の別の分岐に配置する。このようにすれば、ウェットコートとパウダーコートの両者を、単一の塗装ラインで塗装することができる。
【００３１】
さらに、この場合、色切換を行わずに要求頻度が高い色（”高消費色”）のコーティング剤のみを塗装する単色コーティングステーションを、搬送経路のある分岐に配置して、異なる色のコーティング剤を塗装する多色コーティングステーションを、搬送経路の別の分岐に配置することもできる。なお、現在の最も要求頻度が高い色は、ヨーロッパでは銀色であり、アジアでは白色であるが、単色コーティングステーションは、色切換に起因する損失や遅れを伴うことなく、最も要求頻度の高い色を塗布できる。それにも関わらず、同じ塗装ラインにおいて、搬送ラインの他の分岐でさらに他の色の塗装をすることができる。
【００３２】
さらに、通常作動用の活動状態にあるコーティングステーションを、搬送経路のある分岐に配置して、予備作動用の非活動状態にあるコーティングステーションを、搬送経路の別の分岐に配置することも本発明の範囲において可能である。予備作動用に備えられるコーティングステーションは、例えば、活動状態にあるコーティングステーションが故障した場合には、故障したコーティングステーションの代わりに非活動状態にあるコーティングステーションを用いることによって、コーティング設備全体のコーティング能力を維持できる。さらに、非活動状態にあるコーティングステーションは、新たな塗料と塗装システムを試験するために、連続生産条件下での塗装の試運転用に用いることもできる。非活動状態にあるコーティングステーションは、ロボットを再プログラムするいわゆる教示ブース（ｔｅａｃｈｉｎｇ  ｂｏｏｔｈ）として使用することもできる。非活動状態にあるコーティングステーションで比較的長い数年の期間にわたって、塗装プログラムを最適化して、最適化された塗装プログラムを他のコーティングステーションに移植することもできる。
【００３３】
さらに、車体用のコーティングステーションを搬送経路のある分岐に配置して、付属品（バンパーなど）用のコーティングステーションを、搬送経路の別の分岐に配置することも本発明の範囲内において可能である。これにより、それぞれのコーティング対象の要求に応じて、個々のコーティングステーションの最適化が達成されると好都合である。
【００３４】
本発明の別の変形例では、特定の１つの色のコーティング剤のみをそれぞれ塗装する単色コーティングステーションが、搬送経路の各分岐のそれぞれに配置されている。また、関連するコーティングステーションからのコーティング剤だけを再使用する単色再利用装置が、この単色コーティングステーションのそれぞれに配置されている。また、この単色再利用工程によれば、得られたコーティング剤は、その単色組成ゆえに特に再使用にふさわしいという利点がもたらされる。また、単色コーティングステーションにもかかわらず、所望の色を備えるコーティングステーションを配置した搬送経路の異なる分岐の間で、コーティング対象を分配することによって、さらに異なる色を塗ることができる。
【００３５】
本発明の実施形態の一例では、少なくとも１つのコーティングステーションは、２台のクリアコート用塗装ロボットと２台のベースコート用塗装ロボットを有しており、これらをハンドリングロボットとして用いることもできる。ベースコートを塗装している間は、クリアコート用塗装ロボットは、塗装用途には不要なので、例えば、車体のドアやボンネットを開けるために、ハンドリングロボットとして用いられる。また、クリアコートを塗装している間は、ベースコート用塗装ロボットは必要とされないので、塗装された車体のドアやボンネットを再度開けるために、ハンドリングロボットとして用いることができる。
【００３６】
進入するコーティング対象を識別し、連続する処理ステーションと異なる並列分岐間での分配を制御するための中央読取点が、搬送経路上で分岐前に配置されると好ましい。例えば、中央読取点が、要求頻度が高い色（”高消費色”）で塗装される車体が搬送経路上に進入しているのを検知すれば、この車体を、目的とする方法で、高消費色で塗装するために備えられた搬送経路の分岐に供給できる。この場合、中央読取点は、分岐に進入するコーティング対象に関するデータを、中央塗装制御システムあるいは搬送経路の並列分岐の下流の処理ステーションに転送する。この中央塗装制御システムによって、搬送経路の各並列分岐に追加の読取点を要しないことが示されると好都合である。
【００３７】
したがって、本発明に係るコーティング装置は、中央塗装制御システムによって制御されていると好ましい。この場合、中央制御ユニットが、全ての部品（塗装ブース、蒸発乾燥ステーション、コンベアーなど）に接続され、これらの部品を制御する完全なる中央制御の実施形態が実現できる。一方、これに代えて、各工程ステーションに複数の分配制御モジュールを割り当てるようにしてもよい。前記分配制御モジュールは、中央制御ユニットによって中央で一元化される。この場合、中央制御ユニットの機能は、分配制御モジュールの１つによって、実行されてもよい。
【００３８】
前記制御は、いわゆる”押し原理（Ｐｕｓｈ  Ｐｒｉｎｃｉｐｌｅ）”あるいは”引き原理（Ｐｕｌｌ  Ｐｒｉｎｃｉｐｌｅ）”を任意に選択して実行できる。”引き原理（Ｐｕｌｌ  Ｐｒｉｎｃｉｐｌｅ）”では、各塗装ブースまたは関連のある分配制御モジュールによって、中央制御ユニットから望ましいコーティング対象が要求される。一方、”押し原理（Ｐｕｓｈ  Ｐｒｉｎｃｉｐｌｅ）”では、予め決められた最適化目標を考慮して、各コーティング対象が異なる塗装ブースでいかに最適に分配されるべきかを中央制御ユニットが計算し、それぞれの塗装ブースにコーティング対象を供給する。
【００３９】
さらに、搬送経路の並列分岐にある処理ステーションの中で、空気状態を変化させることも本発明の範囲内において可能である。例えば、最適な空気状態は、温度、湿度および用いられる塗料システム（フィラー、ベースコートまたはクリアコート）によって低下する空気速度、噴霧器の種類（空気噴霧器、静電噴霧器または高速回転噴霧器）および色合いに応じて異なる。異なる空気状態にされた搬送経路の並列分岐を、それぞれ個別の要求に対して、最適な空気状態に適合できる。
【００４０】
本発明に係るコーティング設備の別の利点は、各処理ステーションを標準モジュールとして形成することによって、出来る限りの設備技術の標準化がなされていることである。このように、コーティング設備は、各製造業者によって構築され、その後、製造業者の施設で顧客によって点検され、検査され、認可されることができる。したがって、この場合、装置が顧客に届いたときでなく、むしろ製造業者の施設ですでに動作可能になっている。その結果、以降の設定を、極めて簡単にできる。
【００４１】
したがって、異なる処理ステーションは、圧縮空気、コーティング剤、洗浄剤、データライン、供給空気および抽出空気について、およびそれらをブースおよび／または電力供給用に準備することについて、均一な外部寸法および／または均一な接続を有すると好まく、それにより、各処理ステーションは、容易に他の処理ステーションに置き換えられる。
【００４２】
さらに、塗装ラインに沿った搬送経路は、複数の並列分岐に一回のみ分岐するのではなく、むしろ複数回にわたって一列に分岐することが本発明の範囲内において可能である。
【００４３】
乾燥ステーション、特にプラズマ乾燥ステーションまたは放射線硬化装置は、搬送方向において、コーティングステーションの後方となる搬送経路に配置されると好ましい。さらに、搬送経路が分岐していない場合でも、前記乾燥ステーションをこのように配置してもよい。
【００４４】
搬送経路の異なる並列分岐にある処理ステーションが、異なる防爆システムおよび／または異なる防火システムを有することも本発明の範囲内において可能である。例えば、近年用いられる銀塗料などは、溶剤量が少ないので、火災または爆発の危険性がより低いことは明らかである。爆発あるいは発火する傾向が低い当該塗料（銀塗料など）が、搬送経路のある分岐で塗られれば、溶媒成分が高く、爆発や発火の危険性が高い異なる色が塗られる搬送経路の他の分岐に導入されるシステムと比べて、それほど複雑でない防火および防爆システムが、関連のあるコーティングステーションに導入されてもよい。極端な場合、ある分岐が、溶剤含有量が非常に少ないために爆発や火災の危険性がない塗料の塗装だけに使用されていれば、搬送経路の前記分岐に防爆および／または防火システムを備える必要はない。
【００４５】
個々の塗装ステーションは、それぞれブース入口とブース出口を有する実質的に閉じたブースとして設計されると好ましく、ブース入口および／またはブース出口は、シャッター、特に回転シャッターで閉じられてもよい。この場合、シャッターは、搬送経路を介して許可無く人が塗装ブースに侵入することを禁ずると好ましい。さらに、シャッターによって、ブース内により好適に空気供給ができるので、その結果、コーティング品質は向上する。
【００４６】
塗装ブースに対するシャッターは、ロック装置によって固定されており、前記ロック装置は、例えば鍵、ＰＩＮコード、指紋またはコードカードによって操作できる。
【００４７】
さらに、一方で水を基材とする塗料用に、他方で溶剤を基材とする塗料用に、別々のコーティング剤供給システムを備えることも本発明の範囲内において可能である。２つの別々のコーティング剤供給システムは、同一の塗装ロボットまたは異なる塗装ロボットを供給してもよい。
【００４８】
本発明の実施形態の好ましい例では、コーティング設備は、各処理ステーション（塗装ブースなど）に、コーティング剤またはその他の流体を供給する環状ラインまたは（さらに任意にピッグ技術（ｐｉｇ  ｔｅｃｈｎｏｌｏｇｙ）を用いる）特殊な色供給ラインを有しており、前記処理ステーションは、先行技術からそういうものとして知られるように、一列または互いに隣り合って配置される。もっとも、本発明は、新しい種類の環状ラインのラインガイドを提供しており、そのラインガイドでは、環状ラインの送出ラインと戻りラインが、処理ステーションの列に沿ってそれぞれ実質的に直線状に布設されている。したがって、この場合、環状ラインの送出ラインおよび戻りラインは、反対方向で互いに平行に布設されるので、この構成によって、配管を短くでき、配管経路中の塗料を少なくでき、投資コストを減ずることができ、特殊な色の接続を容易にできる。
【００４９】
この場合、環状ラインは、各処理ステーションで、それぞれエネルギー鎖放出口を有している。前記エネルギー鎖（ケーブルキャリアとしても知られる）は、独国特許出願公開第３９  ２７  ８８０号と欧州特許出願公開第０  ８４２  ７０６号明細書から知られるように、各処理ステーションの装置にコーティング剤や他の流体を供給するために、前記エネルギー鎖放出口に接続される。したがって、これらの特許出願の内容は、エネルギー鎖放出口の構造に関して、本願に実質的に包含される。もっとも、エネルギー鎖放出口は、各処理ステーションで中央に、つまり、処理ステーションの列に関して、および／または各処理ステーションに関して配置されるということが、ここでは新規である。
【００５０】
本発明の文脈で用いられる”環状ライン”という用語は、通常の意味で解釈されるべきであり、例えば、パヴェル・シュヴェイダ（Ｐａｖｅｌ  Ｓｖｅｊｄａ）著，ＩＳＢＮ３−８７８７０−７４１−Ｘ”訴訟と申請手続き（Ｐｒｏｚｅｓｓｅ  ｕｎｄ  Ａｐｐｌｉｋａｔｉｏｎｓｖｅｒｆａｈｒｅｎ）”，２００３年ヴィンセンツ社刊の１０７〜１１１頁の記載から知られるような単一管式システム、二重管式システムおよび三重管式システムを包含するので、この本の内容は、環状ラインシステムの構造に関して、本記載に包含される。さらに、環状ラインシステムは、欧州特許第１  ３６９  １８２号明細書からも知ることができるので、前記文書の内容は、環状ラインシステムの構造に関して、本記載に実質的に包含される。
【００５１】
本発明の実施形態の一例では、環状ラインの供給ラインが、処理ステーションの列に沿って、各処理ステーション周りで曲がりくねって布設される一方で、環状ラインの戻りラインは、各処理ステーションの列に沿って実質的に直線状に布設される。
【００５２】
本発明の実施形態のさらなる一例では、環状ラインの送出ラインが、処理ステーションの列に沿って実質的に直線状に布設される一方で、環状ラインの戻りラインは、処理ステーションの列に沿って、各処理ステーションの周りで曲がりくねって布設される。
【００５３】
本発明の一変形例では、曲がりくねった送出ラインや戻りラインは、隣接する処理ステーション間で、それぞれループを形成するので、曲がりくねった送出ラインや戻りラインは、処理ステーションの列の他方の側に変わることなく処理ステーションの列の一方の側で、それぞれ布設される。
【００５４】
対照的に、本発明の別の変形例では、隣接する処理ステーションの間で、曲がりくねった送出ラインや戻りラインは、処理ステーションの列の一方の側から処理ステーションの列の反対側へ変わっている。
【００５５】
処理ステーションが、先行技術にあるような、以下に簡潔に記載される多くの領域を有する塗装ブースであると好ましいことは前述の記載から明らかである。まず、塗装ブースは、塗装領域を有しており、前記塗装領域を通って各コーティング対象が搬送され、前記塗装領域中でコーティング対象がコートされる。この塗装領域の上に配置されるのは、新鮮な空気がフィルター天井を通って上方から下向きに塗装領域に吹き込まれる圧力室を形成するいわゆるプレナムである。さらに、塗装ブースは、塗装領域の下方にいわゆる洗浄領域を有し、この領域では、塗装領域からもたらされる余剰の塗装剤（”過剰飛散”）が洗浄される。その代わりに、フィルターを用いて乾式洗浄領域とすることもできる。このような乾式洗浄領域は、例えば、独国特許出願公開第１０  ２００５  ０４８  ５８０号明細書から知られるので、この特許出願の内容は、本願の記述に包含される。
【００５６】
最後に、塗装ブースは、塗装ブースを機械的に支持するブース支持部を有する。また、前記ブース支持部は、一般に洗浄領域の下方に配置される。
【００５７】
本発明は、少なくとも部分的にプレナム、洗浄領域またはブース支持部を通って布設される新規な環状ラインのガイドも包含する。
【００５８】
さらに、本発明は、上述のようなコーティング設備に関するだけでなく、そのようなコーティング設備の作動方法に関することが言及されるべきである。
【００５９】
本発明に係る作動方法の手順では、複数のコーティング対象は、コーティング設備を通る搬送経路に沿って搬送され、複数の処理ステーション（塗装ステーション、蒸発乾燥ステーションなど）で処理されており、前記コーティング対象は、複数の搬送経路の並列分岐の間で分配され、処理ステーションの少なくとも１つに配置される。
【００６０】
搬送経路上の異なる並列分岐の間でのコーティング対象の分配は、塗装工程の工程定義パラメーターに従って、行われてもよい。したがって、本発明に係る作動方法の手順では、搬送経路上の異なる分岐の間でコーティング対象を分配する場合に、工程定義パラメーターを決定し、その後に該パラメーターを考慮に入れて実行することが好ましい。
【００６１】
例えば、塗装に手間がかかる高級車体は、塗装に手間がかからない簡易な車体とは異なる分岐で塗装し得るので、コーティング対象を分配するための工程定義パラメーターは、例えば、コートされるコーティング対象の種類（リムジン、ステーションワゴン、クーペ、コンバーティブル、ピックアップ、バン、ミニバン、スポーツ多目的車（ＳＵＶ）または四輪駆動車など）とすることができる。
【００６２】
さらに、コーティング対象を分配するための工程定義パラメーターは、塗料供給や個別の塗料であってもよい。これが重要となるのは、例えば、製造業者Ａからの塗料は、塗料体積流量を４５０ｍｌ／分以下にするように規定され、異なる製造業者Ｂからの塗料は、塗料体積流量を３００ｍｌ／分以下にするように規定されることがあるからである。これによって、異なる色を塗ると工程時間が異なったり、異なる製造業者から供給された塗料を同じ色合いに塗るのに工程時間が異なるという結果をもたらす。
【００６３】
さらに、搬送経路での異なる並列分岐の間での塗装対象を分配するための工程定義パラメーターは、塗られるコーティング剤の色であってもよい。例えば、要求頻度の高い色（”高消費色”）は、搬送経路のある特定の分岐で塗られ、要求頻度の低い色（”低消費色”）は、搬送経路の他の分岐で塗られる。
【００６４】
さらに、例えば、高級車体は簡単な自動車の車体よりも高品質に塗装されなければならないので、それぞれに要求されるコーティング品質が、工程定義パラメーターとして考慮されてもよい。したがって、品質の点で異なる塗装プロセスが、搬送経路の各分岐で生じてもよく、コーティング対象は、それぞれの品質要求に応じて関連する分岐の間で分配される。
【００６５】
さらに、コーティング対象を分配するための工程定義パラメーターは、塗られるコーティング剤の種類であってもよい。例えば、パウダーコートとウェットコートが、あるコーティングラインで塗られてもよく、そのコーティングラインでは、コーティング対象が、所望のコーティングの種類に応じて、パウダーコートまたはウェットコートのいずれかが塗装される搬送経路の関連する分岐の間で分配される。
【００６６】
さらに、塗られるコーティング剤の爆発の危険性および／または火災の危険性が、コーティング対象を分配するための工程定義パラメーターとして考慮されてもよい。例えば、火災や爆発の明らかな危険がないコーティング剤でコートされたコーティング対象が到達する場合、このコーティング対象は、防火および／または防爆システムを備えないコーティングステーションが設置された搬送経路の分岐に搬送される。一方で、火災または爆発の明らかな危険があるコーティング剤でコートされたコーティング対象（クリアコートなど）が到達した場合、このコーティング対象は、防火および／または防爆システムを備えるコーティングステーションが設置された搬送経路の分岐に搬送されるであろう。
【００６７】
搬送経路の異なる並列分岐の間にコーティング対象を分配するときに、コーティング剤特有の塗装パラメーターが考慮されてもよい。
【００６８】
本発明に係る作動方法の手順では、搬送経路の異なる分岐の間で、一方に自動車の車体が、他方に付属品が分配されてもよいので、搬送経路の異なる分岐とその上に配置される処理ステーションが、進入するコーティング対象の種類に関して最適化され得る。
【００６９】
搬送経路の異なる分岐において、一方で要求頻度の高い色が、他方で要求頻度の低い色が塗られてもよいので、これに関して最適化することもできる。
【００７０】
下流の製品エリアで定められる順序（最終組立作業のような）が、最適化目標として用いられてもよい。
【００７１】
本発明に係る作動方法の手順では、進入するコーティング対象の識別は、搬送経路の分岐前に、中央読取テーションで行われると好ましい。前記中央読取ステーションでは、データが、中央読取ステーションから中央塗装制御システムへ転送されるので、搬送経路の各分岐に追加の読取ステーションを要しない。したがって、進入するコーティング対象を中央で識別する場合には、現時間を塗装制御過程として考慮できるように、現時間を測定し格納すると好ましい。そして、中央塗装制御システムは、搬送経路の異なる分岐間での分配と実行される工程ステップを考慮しながら、中央読取装置による識別結果と関連する時間に従って、進入する全てのコーティング対象のコーティング設備内での位置を連続的に決定すると好ましい。
【００７２】
搬送経路のある分岐では、処理ステーションは作動、例えば、コーティング対象を塗り、乾燥する一方で、搬送経路の別の分岐では、別の処理ステーションを据え付け、取り除き、修理し、試験しあるいは訓練目的で用いることが、本発明に係る作動方法の範囲内で可能である。
【００７３】
さらに、本発明の一変形例では、搬送経路の各分岐間でコーティング対象を分配する際に、各分岐での工程の進捗を考慮することが示される。例えば、搬送経路の並列分岐の１つにコーティング対象が配置されなかった場合、次に分岐に進入するコーティング対象を、この分岐に割り当てると都合がよい。このように、塗装ブースが空の状態になるのを防ぐことができる。
【００７４】
さらに、発明の一変形例では、搬送経路上で進入するコーティング対象を、１または複数の先に定義された最適化目標に従って、搬送経路の各並列分岐の間で分配することを示している。
【００７５】
例えば、色の損失あるいは色切換のための損失を最小にすることを最適化目標にしてもよい。進入するコーティング対象をある特定の色で塗装する場合、この分岐での色切換を不要にして、色切換による損失を無くすために、このコーティング対象を、同じ色がすでに塗装され、またはこれから塗装される搬送経路の分岐に割り当てると都合がよい。
【００７６】
例えば、入口側および／または出口側でコーティング対象用の緩衝保管領域の大きさを最小にすることを別の最適化目標としてもよい。例えば、搬送経路に到達するコーティング対象は、所望の色が塗装される間、入口側の緩衝保管領域で待機しなければならない。この場合、中央塗装制御システムが、中央読取点を経由して、逐次到達するコーティング対象に所望の色を決定した後、そのコーティング対象は、入口側での待機時間と要求される緩衝保管領域の大きさが最小になるように各分岐間で分配される。
【００７７】
コーティング対象を分配したときに、コーティング設備のコーティング能力を最大にすることを別の最適化目標とすることもできる。例えば、高消費色に割り付けるために、全ての分岐を割り当てれば、色切換による損失を低減できるので都合がよいが、高消費色をほとんど塗装する必要がない状況では、コーティング能力は最適ではない。一方で、頻繁な色切換には、色切換時間が必要となるので、塗装装置全体のコーティング能力は減少する。したがって、分岐に進入するコーティング対象は、コーティング能力が最大になるように各並列分岐の間で分配されると好ましい。
【００７８】
さらに、各コーティング対象を分配するときの最適化目標を、それぞれの種類で要求される生産量に応じて、異なる種類のコーティング対象の最適な分配がなされることとしてもよい。
【００７９】
さらに、入口側の組立領域および／または出口側の最終組立作業領域からの要求項目に最適な方法で対応させるようにして、搬送経路の各並列分岐の間で、進入するコーティング対象の分配を最適化してもよい。
【００８０】
最大限可能なコーティング品質を得ることを、別の最適化目標とすることもできる。
【００８１】
さらに、進入する対象は、いわゆる滑りの持続時間を最小にするように、あるいは少なくとも一時的に制限するように、搬送経路の並列分岐の間で分配されてもよい。
【００８２】
最後に、保管時間が比較的長い場合に、コーティング剤の沈殿を避けるために、用いられるコーティング剤の保管時間を最小にしたり、少なくとも一時的に制限したりすることを、さらに別の最適化目標とすることもできる。
【００８３】
前述の最適化目標のいくつかは、先に述べたように、互いに組み合わせられてもよい。そのため、それぞれの最適化目標に、異なる優先順位を割り当てると好ましく、異なるランクの最適化目標を段階に分けて、ソフトウェアによって最適化する。例えば、色損失を最小にすることを、第一義的な最適化目標であるとすると、コーティング能力を最大にすることは、二義的な最適化目標に過ぎない。
【００８４】
本発明は、コーティング対象がその間にさらに搬送されずに、複数の塗装工程のステップを、単一の塗装室で同一のコーティング対象（自動車の車体など）に順次実行するという概念を包含する。例えば、プライマーコート、ベースコートおよびクリアコートは、全く同一の塗装ブースで全く同一のコーティング対象に順次塗装されてもよい。さらに、内部塗装と外部塗装が、全く同一の塗装ブースで全く同一のコーティング対象に行われてもよい。
【００８５】
更に有益な本発明の応用展開は、従属項に記載されており、図を参照しながら本発明の好ましい実施形態の例の記述とともに、以下により詳細に説明する。
【図面の簡単な説明】
【００８６】
【図１】複数の並列分岐に分岐する搬送経路を備え、前記並列分岐のそれぞれに２台の蒸発乾燥ステーションと１台の塗装ステーションが設置される本発明に係るコーティング設備の概略図である。
【図２】（ａ）〜（ｆ）は、図１に係るコーティング設備の搬送経路の各分岐についての異なる連続的な処理段階を示す図である。
【図３】搬送経路の２つの隣接する分岐で塗装ステーションを制御するロボットが、搬送経路の隣接する分岐の間に配置される図１に係る実施形態の変形例を示す図である。
【図４】高消費色が一方の搬送経路で塗装され、低消費色が搬送経路の別の分岐で塗装される図３に係る実施形態の変形例を示す図である。
【図５】パウダーコートが搬送経路のある分岐で塗装され、ウェットコートが搬送経路の他の分岐で塗装される図１に係る実施形態の変形例を示す図である。
【図６】車体が搬送経路のある分岐で塗装され、付属品のみが搬送経路の別の分岐で塗装される図５に係る実施形態の例の修正例を示す図である。
【図７】搬送経路が順次分岐する複数の分岐を有する本発明に係るコーティング装置を示す極めて簡略化された概略図である。
【図８】２台のクリアコート塗装ロボットと２台のベースコート塗装ロボットを備え、前記ロボットの全てがハンドリングロボットとしても用いられる塗装ステーションを示す図である。
【図９】単色コーティング設備と単色再利用装置を備える本発明に係るコーティング設備の分岐を示す図である。
【図１０】搬送経路が順次分岐する複数の分岐を有するさらなる実施形態の例を示す概略図である。
【図１１】異なる防爆システムが、搬送経路の個々の並列分岐に備えられる図１に係る実施形態の変形例を示す図である。
【図１２】放射状パターンの搬送経路の各分岐を備える本発明に係るコーティング装置のさらなる実施形態の例を示す図である。
【図１３】複数のプラズマ乾燥機を備える図１に係る実施形態の変形例を示す図である。
【図１４Ａ】直線状にラインガイドを備える新規な環状ラインの配置の種類を示す図である。
【図１４Ｂ】曲がりくねったラインガイドを備えるさらなる環状ラインの配置を示す図である。
【図１４Ｃ】曲がりくねったラインガイドを備える代替の環状ラインの配置を示す図である。
【発明を実施するための形態】
【００８７】
図１は、自動車の車体１を塗装するための本発明に係る塗装設備の一部を示しており、自動車の車体１は、入口側の直線状の搬送経路２を経由して供給される。搬送経路２は、車体１を垂直方向に対して９０°回転する回転装置４を入口側に有する横行区間３に通じていて、横行区間３上の自動車の車体１は、運搬方向に直角に向けられる。
【００８８】
横行区間３は、入口側の搬送経路２から続いて形成される複数の並列分岐５〜９の間で、自動車の車体１を分配するためのスイッチとして用いられる。このため、横行区間３は、所望の分岐５〜９の前まで自動車の車体１を搬送する。その結果、自動車の車体１は、所望の分岐５〜９に向けて横行区間３に対して直角に搬送される。
【００８９】
搬送経路２の各並列分岐５〜９は、出口側では、別の横行区間１０に通じている。また、横行区間１０は、出口側に回転装置１１を有している。横行区間１０を離れるときに、回転装置１１は、横行通路１０によって送出される自動車の車体１を、再び垂直方向に対して９０°回転し、搬送方向に対して再び平行にする。
【００９０】
そして最後に、自動車の車体１は、出口側で搬送経路１２に入り、搬送経路１２を経由して、公知の手段で遠方まで搬送される。
【００９１】
塗装ブース１３〜１７が、各並列分岐５〜９のそれぞれに配置されているので、分岐５〜９のそれぞれで車体１を塗装できる。
【００９２】
さらに、入口側の蒸発乾燥ステーション１８〜２２と出口側の蒸発乾燥ステーション２３〜２７が、並列分岐５〜９のそれぞれに設置される。
【００９３】
図は、進入する自動車の車体１を識別する中央読取ステーション２８も示している。進入する自動車の車体１を、異なる分岐５〜９の間で最適に分配できるので、進入する自動車の車体１の識別は、塗装設備全体の中央制御にとって重要である。
【００９４】
例えば、色切換による損失を最小にすると望ましい。これは、分岐５〜９で所望の色が既に塗装されているように、進入する自動車の車体１を分配することによって達成でき、前記分岐での色切換を要しない。
【００９５】
さて、ここで上述され図１に示された塗装設備の作動モードを、図２（ａ）〜図２（ｆ）を参照して説明する。なお、簡略化のために、分岐５のみを示すが、その他の分岐６〜９でも同様に作動される。
【００９６】
図２（ａ）は、開始時の塗装設備の分岐５の状態を示している。このときに、２台の蒸発乾燥ステーション１８，２３または塗装ブース１３のいずれにも自動車の車体はない。
【００９７】
図２（ｂ）に示すように、横行区間３は、２台の自動車の車体ＡとＢを分岐５に順次搬送して、自動車の車体Ａを塗装ブース１３に配置し、自動車の車体Ｂを蒸発乾燥ステーション１８に配置する。この段階では、自動車の車体Ａが塗装ブース１３で塗装される一方で、自動車の車体Ｂは蒸発乾燥ステーション１８で待機している。
【００９８】
図２（ｃ）に示すように、２台の自動車の車体ＡとＢは、分岐５でステーション１個分ずつ出口方向にさらに搬送され、自動車の車体Ａは出口側の蒸発乾燥ステーション２３に配置され、自動車の車体Ｂは塗装ブース１３に配置される。この段階では、先に塗装された自動車の車体Ａが蒸発乾燥ステーション２３で乾かされる一方で、自動車の車体Ｂは、塗装ブース１３で初めて塗装される。
【００９９】
図２（ｄ）に示すように、その後、２台の自動車の車体ＡとＢは、分岐５でステーション１個分ずつ後方に搬送されるので、自動車の車体Ａは再び塗装ブース１３に配置され、自動車の車体Ｂは入口側の蒸発乾燥ステーション１８に配置される。自動車の車体Ａが塗装ブース１３で２回目の塗装をされる一方で、先に１回目の塗装をされた自動車の車体Ｂは、入口側の蒸発乾燥ステーション１８で乾く。
【０１００】
図２（ｅ）に示すように、２台の自動車の車体ＡとＢは、再び出口方向にステーション１個分ずつ搬送され、自動車の車体Ａは出口側の蒸発乾燥ステーション２３に設置され、自動車の車体Ｂは塗装ブース１３に設置される。この段階では、先に２回目の塗装をされた自動車の車体Ａが、出口側の蒸発乾燥ステーション２３で乾く一方で、自動車の車体Ｂは塗装ブース１３で２回目の塗装をされる。
【０１０１】
最後に、図２（ｆ）に示すように、２回目の塗装工程が終了したら、２台の自動車の車体ＡとＢは、分岐５から遠くに搬送され、自動車の車体Ａ、Ｂまたは１は、２台の蒸発分離ステーション１８，２３および塗装ブース１３に配置されなくなる。
【０１０２】
図３に示す実施形態の例は、前述するとともに、図１および図２（ａ）〜図２（ｆ）に示した実施形態の例に多くが共通するので、繰り返しを避けるために、共通する構成要素には同一の参照記号を付している。
【０１０３】
この実施形態の例は、塗装ロボットＲとハンドリングロボットＨを隣接する塗装ブース１３〜１７の間のそれぞれに配置していることを特徴としている。ハンドリングロボットＨと塗装ロボットＲは、２基の隣接する塗装ブース１３〜１７を処理する。このため、各塗装ブース１３〜１７は、十分近くに近接して配置されるので、２基の隣接する塗装ブース１３〜１７は、それらの間に配置されるハンドリングロボットＨと塗装ロボットＲの範囲内にそれぞれ設置される。
【０１０４】
これによって、多数のロボットの省略を可能にするという利点がもたらされる。
【０１０５】
図４に示される実施形態の例は、前述するとともに、図３で示された実施形態の例に多くが共通するので、繰り返しを避けるために、共通する構成要素には同一の参照記号を付している。
【０１０６】
この実施形態の例は、塗装ブース１３が、最も要求頻度が高い塗料、現在ヨーロッパでは銀色、アジアでは白色を専ら塗装するものであることを特徴とする。したがって、この実施形態の例では、塗装ブース１３は色切換装置を有しない。それゆえ、中央読取装置２８が、進入した自動車の車体１が銀色に塗装される予定であることを入口側で検知したら、横行区間３は、関連する自動車の車体１を分岐５に搬送するように作動する。
【０１０７】
これに対して、この実施形態の例の分岐６は、要求頻度が高い色（”高消費色”）を塗装するのに用いられる。分岐６の塗装ブース１４は、分岐５の塗装ブース１３とは違って、異なる使用頻度が高い色の間での色切換を行う。
【０１０８】
またこれに対して、分岐７と８の塗装ブース１５と１６は、要求頻度が高い色（”高消費色”）の塗装と、要求頻度が低い色（”低消費色”）の塗装のそれぞれに用いられるブースである。
【０１０９】
最後に、この実施形態の例は、分岐９を予備としてのみ用い、通常の塗装処理の間は必要としないことも特徴としている。
【０１１０】
したがって、分岐９の塗装ブース１７は、例えば、塗装設備全体の能力に影響を及ぼすことなく、メンテナンス目的用や予備ワーク用に用いることができる。
【０１１１】
図５は、本発明に係る塗装設備のさらなる実施形態の例を示しており、前述された実施形態の例に多くが共通しているので、繰り返しを避けるために、共通する構成要素には同一の参照記号を付している。
【０１１２】
この実施形態の例は、分岐５と６の塗装ブース１３と１４がパワーコートのみを塗る一方で、分岐７と８の塗装ブース１５と１６はウェットコートのみを塗ることを特徴としている。そのため、この実施形態の例のコーティング装置は、パワーコートとウェットコートを任意に塗装できる。中央読取ステーション２８が、進入した自動車の車体１がパワーコートで塗装される予定であることを検知したら、中央塗装制御システムは、横行区間３を作動させ、自動車の車体１を分岐５または分岐６のいずれかに搬送する。また、中央読取ステーション２８が、進入した自動車の車体１がウェットコートで塗装される予定であることを検知したら、中央塗装制御システムは、横行区間３を作動させ、この自動車の車体１を分岐７または分岐８のいずれかに搬送する。
【０１１３】
図６に示される実施例もまた、前述された実施形態の例に多くが共通しているので、繰り返しを避けるために、共通する構成要素には同一の参照記号を付している。
【０１１４】
この実施形態の例は、分岐５、６および７の塗装ブース１３、１４および１５が、自動車の車体１の塗装だけに用いられる一方で、分岐８の塗装ブース１６が付属品の塗装だけに用いられることを特徴としている。したがって、塗装ブース１６は、付属品を塗装する特定の要求項目に対して最適化する一方で、他の塗装ブース１３〜１５は、自動車の車体１を塗装する特定の要求項目に対して最適化する。
【０１１５】
図７は、本発明に係るコーティング設備のさらなる実施形態の例を、ごく簡略に概念図で示している。
【０１１６】
さて、入口側の搬送経路２９は、４つの並列分岐３０〜３３に分岐している。これらは、出口側で再結合して共通の搬送経路３４を形成する。共通の搬送経路３４は、３つの並列分岐３５、３６および３７に再び分岐し、これらは、出口側でもう一度再結合して共通の搬送経路３８を形成する。
【０１１７】
先に図１と図２（ａ）〜図２（ｆ）を参照して説明したように、分岐３０〜３３のそれぞれには、２つの蒸発分離ステーションとそれらの間に配置された塗装ブースが一列に配置される。
【０１１８】
これに対して、先行技術からそういうものとして知られるように、コーティング対象を乾燥するプラズマ乾燥機が、分岐３５〜３７のそれぞれに配置される。
【０１１９】
図８は、自動車の車体４０を塗装するための塗装ブース３９の簡略化された実施形態の例を示している。自動車の車体４０は、塗装ブース３９を通る搬送経路４１に沿って搬送される。搬送経路４１は、例えば、上述したように、複数の並列分岐の１つであってもよい。
【０１２０】
２台のクリアコート塗装ロボット４２、４３と２台のベースコート塗装ロボット４４、４５が、塗装ブース３９に配置される。２つのクリアコート塗装ロボット４２、４３および２つのベースコート塗装ロボット４４、４５のいずれも、ハンドリングロボットとして用いることができる。図８では、２台のクリアコート塗装ロボット４２、４３が、自動車の車体４０にクリアコートを塗っている一方で、２台のベースコート塗装ロボット４４、４５は、ベースコートを塗る代わりに自動車の車体４０のドア４６、４７を開けるハンドリングロボットして用いられている。
【０１２１】
図９は、搬送経路４８を有する本発明に係るコーティング設備についてのさらなる実施形態の例を示している。搬送経路４８には、２つの蒸発分離ステーション４９、５０と単色の塗装ステーション５１が、一列に配置されている。ここでは、塗装ステーション５１は、パウダー供給装置５２によって供給されるパウダーコートを塗るために用いられていて、パウダー供給装置５２には、新品のパウダーに再利用パウダーを一部加えたものが供給される。
【０１２２】
再利用パウダーは、塗装ステーション５１において、パウダー再利用装置５３によって回収される。回収された再利用パウダーは単色であり、再使用するのに極めて適しているので、都合がよい。
【０１２３】
図１０は、本発明に係るコーティング装置のさらなる実施形態の例を示しており、前述された実施形態の例に多くが共通しているので、繰り返しを避けるために、共通する構成要素には同一の参照記号を付している。
【０１２４】
この実施形態の例は、横行装置３が４つの並列分岐に車体１を供給することを特徴としている。塗装ブース５８〜６１および蒸発乾燥ステーション６２〜６５が、並列分岐５４〜５７のそれぞれに配置されている。
【０１２５】
分岐５４〜５７は、４つの並列分岐６７〜７０に自動車の車体１を順に供給する追加の横行区間６６に通じている。プラズマ炉７１〜７４が、並列分岐６７〜７０のそれぞれに配置される。
【０１２６】
最後に、図１１は、本発明に係る塗装装置の実施形態の例を再度示しているが、前述された実施形態の例に多くが共通しているので、繰り返しを避けるために、共通する構成要素には同一の参照記号を付している。
【０１２７】
この実施形態の例は、溶剤を少量しか含まないので火災および／または爆発の危険性が低い銀色等の高消費色を塗装ブース１３で塗ることを特徴としている。したがって、塗装ブース１３は、防爆システムを有しない。
【０１２８】
これに対して、塗装ブース１４〜１６は、溶剤含有量が多く、そのために火災および／または爆発の危険性がより高いその他の色を塗るために用いられるので、塗装ブース１４〜１６は、防爆システムを備える。なお、この防爆システムは、先行技術からそういうものとして知られるため、ここでのさらなる詳細な記載を要しない。
【０１２９】
図１２は、本発明に係る自動車の車体の部品を塗装するための塗装設備の実施形態の代替例を示している。
【０１３０】
昇降動作を介して個々のコーティング対象を供給する螺旋状昇降機７５が中央に配置される。なお、この螺旋状昇降機７５は、先行技術からそういうものとして知られている。
【０１３１】
各コーティング対象は、放射状に布設された８つの搬送経路の分岐７６の間で分配され、３つの処理ステーション７７、７８、７９が各分岐７６のそれぞれに配置されている。この実施形態の例では、処理ステーション７８は塗装ブースであり、処理ステーション７７、７９は蒸発分離ステーションである。もっとも、処理ステーション７７〜７９は、先に詳述された他の処理ステーションであってもよい。
【０１３２】
搬送経路の各放射状分岐７６は、出口側で星形配置の外縁に備えられ、各コーティング対象を周方向に二方向に運搬できる共通の環状コンベアー８０に適している。環状コンベアー８０は、搬送経路の各放射状分岐７６の開口点のそれぞれに回転装置８１を有しており、各コーティング対象は、回転装置８１によって高さ軸周りに、それぞれ回転されて、環状コンベアー８０の運搬方向に向けられることができる。
【０１３３】
最後に、図１３は、図１に示される実施形態の例に多くが共通しているので、繰り返しを避けるために、共通する構成要素には同一の参照記号を付している。
【０１３４】
この実施形態の例は、それぞれのプラズマ炉８２、８３が２つの塗装ブース１３、１４の代わりに備えられていることを特徴としている。
【０１３５】
図１４Ａは、本発明に係る環状ラインの配置を示している。この環状ラインは、複数の塗装ブース８４〜８７に割り当てられるコーティング剤を供給する。
【０１３６】
図に示すように、塗装ブース８４〜８７は、互いに隣り合って横一列に配置され、複数の並列分岐８８〜９１にそれぞれ置かれている。塗装されるコーティング対象（自動車の車体など）は、塗装ブース８４〜８７を通る分岐８８〜９１に沿って、矢印の方向に搬送される。
【０１３７】
ここで、コーティング剤は、送出ライン９３と戻りライン９４を有する環状ライン９２を通って供給される。送出ライン９３および戻りライン９４は、塗装ブース８４〜８７の列に沿って直線状に布設され、コーティング剤は、送出ライン９３と戻りライン９４でそれぞれ矢印方向に流れる。
【０１３８】
塗装ブース８４〜８７のそれぞれには、環状ライン９２が、ケーブルキャリア出口９５〜９８を有している。ケーブルキャリア出口には、各種の塗装装置（回転噴霧器、スプレーガンなど）が、例えば、独国特許出願公開第３９  ２７  ８８０号明細書から知られるありふれた方法でケーブルキャリアにより接続され得る。
【０１３９】
この場合、各ケーブルキャリア出口９５〜９８が、塗装ブース８４〜８７の列に関して中央に配置されるので、環状ライン９２は、各塗装ブース８４〜８７の周りで曲がりくねって誘導されることはない。
【０１４０】
図１４Ｂは、環状ライン９２の代替のラインガイドを示しており、この実施形態の例は、前述するとともに、図１４Ａに示した実施形態の例に多くが共通しているので、繰り返しを避けるために、共通する構成要素には同一の参照記号を付している。
【０１４１】
この実施形態の例は、環状ライン９２の戻りライン９４が曲がりくねって誘導されることを特徴としている。戻りライン９４が、隣接する塗装ブース間にループを、その都度形成するので、戻りライン９４は、塗装ブース８４〜８７の列の一方の側で布設される。
【０１４２】
また、この実施形態の例では、環状ライン９２の送出ライン９３は、塗装ブース８４〜８７の列に沿って直線状に布設される。もっとも、この場合、外側のライン９３は、塗装ブース８４〜８７の列の後方で搬送方向に布設され、ケーブルキャリア出口９５〜９８と外側のライン９３が、スタブ線を通って、それぞれ接続されるので、ケーブルキャリア出口９５〜９８も塗装ブース８４〜８７の後側で横方向に配置される。
【０１４３】
図１４Ｃは、実現可能な環状ライン９２のラインガイドのさらなる実施形態の例を示しており、この実施形態の例は、部分的に前述するとともに、図１４Ａおよび１４Ｂに示した実施形態の例に共通しているので、繰り返しを避けるために、共通する構成要素には同一の参照記号を付している。
【０１４４】
この実施形態の例は、環状ライン９２の戻りライン９４が、塗装ブース８４〜８７の列に沿って直線状に誘導されることを特徴としている。戻りライン９４は、塗装ブース８４〜８７の列の前側で搬送方向に配置される。
【０１４５】
一方、この実施形態の例では、送出ライン９３は、塗装ブース８４〜８７の列に沿って曲がりくねって誘導されており、各ケーブルキャリア出口９５〜９８は、塗装ブース８４〜８７の後側で搬送方向に向けて、その都度配置される。
【０１４６】
上述の種々の環状ライン配置の実施形態の例では、環状ライン９２は、プレナム、洗浄領域、ブース支持部あるいは塗装ブース８４〜８７のその他の要素に、任意に配置される。図１４Ａに示されるような環状ライン９２の中央配置に関して、環状ライン９２が、塗装ブースの塗装領域の上方または塗装ブースの塗装領域の下方のいずれかに布設されるので、環状ライン９２は塗装ブースの開断面を減じない。
【０１４７】
本発明は、上述した好ましい実施形態の例に限定されるものではない。むしろ、同様に発明の概念を利用しており、それゆえに保護の範囲に属する数多くの変形および修正が可能である。
【０１４８】
さらに、本発明は、搬送経路を複数の並列分岐に分岐することについての上位概念の他に、種々の上述の変形についての保護をも請求するものである。
【０１４９】
［付記１］
ａ）複数のコーティング対象（１）を、コーティング設備を通して順次搬送する搬送経路（２，１２）と、
ｂ）前記コーティング対象（１）を処理する複数の処理ステーション（１３〜１７，１８〜２２，２３〜２７）と、から構成される、特に自動車の車体を塗装するためのコーティング設備において、
前記搬送経路（２、１２）が複数の並列分岐（５〜９，３０〜３３，３５〜３７，５４〜５７）に分岐され、前記処理ステーション（１３〜１７，１８〜２２，２３〜２７）の少なくとも１つが、それぞれの並列分岐に配置される
ことを特徴とするコーティング設備。
［付記２］
前記搬送経路（２、１２）の並列分岐（５〜９，３０〜３３，３５〜３７，５４〜５７）は、出口側で再結合する
ことを特徴とする付記１に記載のコーティング設備。
［付記３］
前記コーティング対象（１）をコーティング剤でコートする少なくとも１つのコーティングステーション（１３〜１７）が、前記搬送経路（２，１２）の並列分岐のそれぞれに配置される
ことを特徴とする前記付記のいずれか１つに記載のコーティング設備。
［付記４］
複数の前記処理ステーション（１３〜１７，１８〜２２，２３〜２７）は、前記搬送経路（２，１２）の並列分岐のそれぞれで一列に配置される
ことを特徴とする前記付記のいずれか１つに記載のコーティング設備。
［付記５］
同数の前記処理ステーション（１３〜１７，１８〜２２，２３〜２７）が、前記並列分岐のそれぞれに配置される
ことを特徴とする前記付記のいずれか１つに記載のコーティング設備。
［付記６］
異なる数の前記処理ステーション（１３〜１７，１８〜２２，２３〜２７）が、前記並列分岐のそれぞれに配置される
ことを特徴とする前記付記のいずれか１つに記載のコーティング設備。
［付記７］
以下の処理ステーション（１３〜１７，１８〜２２，２３〜２７）、即ち、
ａ）入口側に、コーティング剤を塗った後に、前記コーティング対象（１）が乾く第１の蒸発乾燥ステーション（１８〜２２）と、
ｂ）出口側に、コーティング剤を塗った後に、前記コーティング対象（１）が乾く第２の蒸発乾燥ステーション（２３〜２７）と、
ｃ）２台の前記蒸発乾燥ステーション（１８〜２２，２３〜２７）の間に、コーティング剤が前記コーティング対象（１）の１つに塗られるコーティングステーション（１３〜１７）と、を備える前記処理ステーションが、前記搬送経路（２，１２）の各分岐の搬送方向に一列に配置される
ことを特徴とする前記付記のいずれか１つに記載のコーティング設備。
［付記８］
待機ステーションが、前記搬送経路の少なくとも１つの分岐で前記処理ステーションの前方に配置される
ことを特徴とする前記付記のいずれか１つに記載のコーティング設備。
［付記９］
前記搬送経路（２，１２）が、少なくとも前記並列分岐で、前記コーティング対象（１）の二方向の搬送を実現する
ことを特徴とする前記付記のいずれか１つに記載のコーティング設備。
［付記１０］
前記搬送経路（２，１２）が、連続的または断続的な搬送モードを実行する
ことを特徴とする前記付記のいずれか１つに記載のコーティング設備。
［付記１１］
前記搬送経路（２，１２）が、一定の搬送速度または異なる搬送速度で、前記各コーティング対象（１）を搬送する
ことを特徴とする前記付記のいずれか１つに記載のコーティング設備。
［付記１２］
前記搬送経路（２，１２）の２つの隣接する並列分岐の間に、２本の隣接する分岐で前記処理ステーション（１３〜１７，１８〜２２，２３〜２７）を作動するロボット（Ｈ，Ｒ）が少なくとも１つ存在する
ことを特徴とする前記付記のいずれか１つに記載のコーティング設備。
［付記１３］
ウェットコートコーティングステーション（１５，１６）が、前記搬送経路（２，１２）の一方の分岐（７，８）に配置され、パワーコートコーティングステーション（１３，１４）が、前記搬送経路（２，１２）の別の分岐（５，６）に配置される
ことを特徴とする前記付記のいずれか１つに記載のコーティング設備。
［付記１４］
ａ）色切換を伴うことなく、要求頻度の高い色のコーティング剤のみを塗る単色コーティングステーション（１３）が、前記搬送経路（２，１２）の少なくとも一方の分岐（５）に配置され、
ｂ）異なる色のコーティング剤を塗る多色コーティングステーション（１４〜１６）が、前記搬送経路（２，１２）の別の分岐（６〜８）に配置される
ことを特徴とする前記付記のいずれか１つに記載のコーティング設備。
［付記１５］
ａ）通常作動用の活動状態にあるコーティングステーション（１３〜１６）が、前記搬送経路（２，１２）の一方の分岐（５〜８）に配置され、
ｂ）予備作動用の非活動状態にあるコーティングステーション（１７）が、前記搬送経路（２，１２）の別の分岐（９）に配置される
ことを特徴とする前記付記のいずれか１つに記載のコーティング設備。
［付記１６］
ａ）自動車の車体用のコーティングステーション（１３〜１５）が、前記搬送経路（２，１２）の一方の分岐（５〜７）に配置され、
ｂ）付属品用のコーティングステーション（１６）が、前記搬送経路（２，１２）の別の分岐（８）に配置される
ことを特徴とする前記付記のいずれか１つに記載のコーティング設備。
［付記１７］
ａ）特定の１つの色のコーティング剤のみを、塗装する単色コーティングステーション（５１）が、前記搬送経路（２，１２）の各分岐のそれぞれに配置され、
ｂ）関連するコーティングステーション（５１）からのコーティング剤のみを再使用する単色再利用装置（５３）が、前記搬送経路（２，１２）の各分岐のそれぞれに配置される
ことを特徴とする前記付記のいずれか１つに記載のコーティング設備。
［付記１８］
２台のクリアコート塗装ロボット（４２，４３）と２台のベースコート塗装ロボット（４４，４５）を、少なくとも１つのコーティングステーションに配置し、前記ロボットの全ては、ハンドリングロボットとしても用いられる
ことを特徴とする前記付記のいずれか１つに記載のコーティング設備。
［付記１９］
ａ）進入するコーティング対象（１）を識別する中央読取点（２８）が、分岐点前に前記搬送経路（２，１２）に配置され、
ｂ）前記搬送経路（２，１２）の各並列分岐に、追加の読取点の配置を要しない
ことを特徴とする前記付記のいずれか１つに記載のコーティング設備。
［付記２０］
空気条件が、前記搬送経路（２，１２）の前記並列分岐にある前記処理ステーション（１３〜１７，１８〜２２，２３〜２７）の間で変化する
ことを特徴とする前記付記のいずれか１つに記載のコーティング設備。
［付記２１］
前記各処理ステーション（１３〜１７，１８〜２２，２３〜２７）は、標準モジュールを形成する
ことを特徴とする前記付記のいずれか１つに記載のコーティング設備。
［付記２２］
ａ）異なる前記処理ステーション（１３〜１７，１８〜２２，２３〜２７）が、均一な外部寸法を有するか、
ｂ）異なる前記処理ステーション（１３〜１７，１８〜２２，２３〜２７）が、圧縮空気、コーティング剤、洗浄剤、供給空気、排出空気、制御信号、測定信号および／または電力供給と均一な接続を有する
ことを特徴とする付記２１に記載のコーティング設備。
［付記２３］
前記搬送経路（２，１２）が、複数の並列分岐（５〜９，３０〜３３，３５〜３７，５４〜５７）に分岐する複数の分岐点をそれぞれ有し、前記分岐点は、搬送方向に一列で配置される
ことを特徴とする前記付記のいずれか１つに記載のコーティング設備。
［付記２４］
乾燥ステーション（７１〜７４）、特にプラズマ乾燥ステーションまたは放射線硬化装置が、コーティングステーションの後方の前記搬送経路（２，１２）で搬送方向に配置される
ことを特徴とする前記付記のいずれか１つに記載のコーティング設備。
［付記２５］
前記処理ステーション（１３〜１７，１８〜２２，２３〜２７）は、前記搬送経路（２，１２）の異なる並列分岐で、異なる防爆システムおよび／または異なる防火システムを有する
ことを特徴とする前記付記のいずれか１つに記載のコーティング設備。
［付記２６］
ａ）前記各コーティングステーションが、ブース入口とブース出口を有する実質的に閉ざされたブースとしてそれぞれ設計され、
ｂ）前記ブース入口および／または前記ブース出口は、シャッター、特に回転シャッターによって閉じられる
ことを特徴とする前記付記のいずれか１つに記載のコーティング設備。
［付記２７］
前記シャッターは、ロック装置によって固定されており、前記ロック装置は、鍵、ＰＩＮコード、指紋またはコードカードによって操作できる
ことを特徴とする付記２６に記載のコーティング設備。
［付記２８］
一方で水を基材とする塗料用に、他方で溶剤を基材とする塗料用に、別々のコーティング剤供給システムを備え、
前記２基の別々のコーティング剤供給システムが、同一の塗装ロボットまたは異なる塗装ロボットを供給する
ことを特徴とする前記付記のいずれか１つに記載のコーティング設備。
［付記２９］
前記搬送経路の前記各分岐（７６）は、中央分岐点（７５）から実質的に放射状に分岐し、前記コーティング対象を、分岐点（７５）を介して供給し、または除去する
ことを特徴とする前記付記のいずれか１つに記載のコーティング設備。
［付記３０］
昇降動作を介して前記コーティング対象を供給する螺旋状昇降機が、前記搬送経路の前記中央分岐点（７５）に配置される
ことを特徴とする付記２９に記載のコーティング設備。
［付記３１］
前記各処理ステーション（８４〜８７）にコーティング剤またはその他の流体を供給する環状ライン（９２）を有し、前記処理ステーション（８４〜８７）は、一列に配置される
ことを特徴とする前記付記のいずれか１つに記載のコーティング設備。
［付記３２］
ａ）前記環状ライン（９２）は、送出ライン（９３）と戻りライン（９４）を有し、
ｂ）前記送出ライン（９３）は、前記処理ステーション（８４〜８７）の列に沿って実質的に直線状に布設されており、
ｃ）前記戻りライン（９４）は、前記処理ステーション（８４〜８７）の列に沿って実質的に直線状に布設されている
ことを特徴とする付記３１に記載のコーティング設備。
［付記３３］
ａ）前記各処理ステーション（８４〜８７）での前記環状ライン（９２）は、前記各処理ステーション（８４〜８７）の装置に前記コーティング剤またはその他の流体を供給するために、供給目的でエネルギーガイド鎖が接続されるエネルギーガイド鎖放出口（９５〜９８）を、それぞれ有し、
ｂ）前記エネルギーガイド鎖放出口（９５〜９８）は、前記各処理ステーション（８４〜８７）で中央に、つまり、前記処理ステーション（８４〜８７）の列に関して、および／または前記各処理ステーション（８４〜８７）に関して配置される
ことを特徴とする付記３２に記載のコーティング設備。
［付記３４］
ａ）前記環状ライン（９２）の前記送出ライン（９３）は、前記処理ステーション（８４〜８７）の列に沿って、前記処理ステーション（８４〜８７）の周りで曲がりくねって布設され、
ｂ）前記環状ライン（９２）の前記戻りライン（９４）は、前記処理ステーション（８４〜８７）の列に沿って、実質的に直線状に布設される
ことを特徴とする付記３１に記載のコーティング設備。
［付記３５］
ａ）前記環状ライン（９２）の前記送出ライン（９３）は、前記処理ステーション（８４〜８７）の列に沿って実質的に直線状に布設され、
ｂ）前記環状ライン（９２）の前記戻りライン（９４）は、前記処理ステーション（８４〜８７）の列に沿って、前記処理ステーション（８４〜８７）の周りで曲がりくねって布設される
ことを特徴とする付記３１に記載のコーティング設備。
［付記３６］
曲がりくねった前記送出ライン（９３）または前記戻りライン（９４）は、隣接する前記処理ステーション（８４〜８７）の間にループをそれぞれ形成し、曲がりくねった前記送出ライン（９３）または前記戻りライン（９４）が、前記処理ステーション（８４〜８７）の列の同一側に、それぞれ布設される
ことを特徴とする付記３４または３５に記載のコーティング設備。
［付記３７］
曲がりくねった前記送出ライン（９３）または前記戻りライン（９４）は、隣接する前記処理ステーション（８４〜８７）の間で、前記処理ステーション（８４〜８７）の列の一方の側から前記処理ステーション８４〜８７の列の反対側に、それぞれ変わる
ことを特徴とする付記３４または３５に記載のコーティング設備。
［付記３８］
前記処理ステーション（８４〜８７）は塗装ブースであり、それぞれに、以下の領域、即ち、
ａ）コーティング剤で前記コーティング対象をコートする塗装領域と、
ｂ）前記塗装領域の上方に配置され、圧力室を形成し、そこから新鮮な空気を前記塗装領域に吹き込むプレナムと、
ｃ）前記塗装領域の下方に配置され、前記塗装領域からもたらされる過剰の前記コーティング剤が洗浄される洗浄領域と、
ｄ）該塗装ブースを機械的に支持するブース支持部と、を有する
ことを特徴とする付記３１乃至３７のいずれか１つに記載のコーティング設備。
［付記３９］
前記環状ライン（９２）は、少なくとも部分的に前記プレナム、前記洗浄領域、または前記ブース支持部を通って布設される
ことを特徴とする付記３８に記載のコーティング設備。
［付記４０］
ａ）コーティング設備を通る搬送経路（２，１２）に沿ってコーティング対象（１）を搬送するステップと、
ｂ）複数の処理ステーション（１３〜１７，１８〜２２，２３〜２７）で、前記コーティング対象（１）を処理するステップと、を有するコーティング設備の作動方法であって、
ｃ）少なくとも１つの前記処理ステーション（１３〜１７，１８〜２２，２３〜２７）がそれぞれに配置される前記搬送経路（２，１２）の複数の並列分岐（５〜９，３０〜３３，３５〜３７，５４〜５７）の間で、前記コーティング対象（１）を分配するステップを有する
ことを特徴とするコーティング設備の作動方法。
［付記４１］
ａ）塗装工程のための工程定義パラメーターを決定するステップと、
ｂ）前記搬送経路（２，２１）の異なる分岐（５〜９，３０〜３３，３５〜３７，５４〜５７）の間で、前記工程定義パラメーターの関数に従って、前記コーティング対象（１）を分配するステップと、を有する
ことを特徴とする付記４０に記載の作動方法。
［付記４２］
前記コーティング対象（１）の分散のための前記工程定義パラメーターは、以下のパラメーターの少なくとも１つ、即ち
ａ）コートされるコーティング対象の種類、
ｂ）塗装されるコーティング剤の色、
ｃ）要求されるコーティングの質、
ｄ）塗装されるコーティング剤の種類、
ｅ）塗装されるコーティング剤の爆発の危険性および／または火災の危険性、および／または、
ｆ）コーティング剤特有の塗装パラメーター、を含む
ことを特徴とする付記４１に記載の作動方法。
［付記４３］
前記搬送経路（２，１２）の異なる分岐（５〜９，３０〜３３，３５〜３７，５４〜５７）の間で、自動車の車体が一方に分配され、付属品が他方に分配される
ことを特徴とする付記４０乃至４２のいずれか１つに記載の作動方法。
［付記４４］
一方で要求頻度の高い色が、他方で要求頻度の低い色が、前記搬送経路（２，１２）の異なる分岐で塗られる
ことを特徴とする付記４０乃至４３のいずれか１つに記載の作動方法。
［付記４５］
以下のステップ、即ち、
前記搬送経路（２，１２）の分岐点前で、進入する前記コーティング対象（１）を中央読取ステーションで識別するステップを有する
ことを特徴とする付記４０乃至４４のいずれか１つに記載の作動方法。
［付記４６］
進入する前記コーティング対象（１）を識別するときに、それぞれ、現時間を測定して格納する
ことを特徴とする付記４５に記載の作動方法。
［付記４７］
以下のステップ、即ち、
前記中央読取装置と、関連する時間による識別および前記搬送経路（２，１２）の異なる分岐（５〜９，３０〜３３，３５〜３７，５４〜５７）の間での分配に従って、進入する全ての前記コーティング対象（１）の前記コーティング設備内での位置を決定するステップを有する
ことを特徴とする付記４６に記載の作動方法。
［付記４８］
以下のステップ、即ち、
前記搬送経路（２，１２）の異なる並列分岐で、前記処理ステーション（１３〜１７，１８〜２２，２３〜２７）に対して、異なる空気状態を定めるステップを含む
ことを特徴とする付記４０乃至４７のいずれか１つに記載の作動方法。
［付記４９］
以下のステップ、即ち、
ａ）ベースコート塗装ロボット（４４，４５）でコーティング対象（１）にベースコートを塗るステップと、
ｂ）ベースコートを塗る間に、クリアコート塗装ロボット（４２，４３）で前記コーティング対象（１）をハンドリングするステップと、
ｃ）前記クリアコート塗装ロボット（４２，４３）で前記コーティング対象（１）にクリアコートを塗るステップと、
ｄ）クリアコートを塗る間に、前記ベースコート塗装ロボット（４４，４５）で前記コーティング対象（１）をハンドリングするステップと、を含む
ことを特徴とする付記４０乃至４８のいずれか１つに記載の作動方法。
［付記５０］
ウェットコートが、前記搬送経路（２，１２）の一方の分岐で塗られ、パウダーコートが、前記搬送経路（２，１２）の別の分岐で塗られる
ことを特徴とする付記４０乃至４９のいずれか１つに記載の作動方法。
［付記５１］
前記コーティング対象（１）は、少なくとも前記搬送経路（２，１２）の前記並列分岐で二方向に搬送される
ことを特徴とする付記４０乃至５０のいずれか１つに記載の作動方法。
［付記５２］
前記コーティング対象（１）は、連続的または断続的に前記搬送経路（２，１２）に沿って搬送される
ことを特徴とする付記４０乃至５１のいずれか１つに記載の作動方法。
［付記５３］
前記コーティング対象（１）は、前記搬送経路（２，１２）に沿って、一定の速度または異なる速度で搬送される
ことを特徴とする付記４０乃至５２のいずれか１つに記載の作動方法。
［付記５４］
単層パウダーコートが前記コーティング対象（１）に塗られるコーティングステーションを有する
ことを特徴とする付記４０乃至５３のいずれか１つに記載の作動方法。
［付記５５］
前記搬送経路（２，１２）の２本の隣接する分岐の間に配置されるロボットは、前記２つの隣接する分岐で、前記処理ステーション（１３〜１７，１８〜２２，２３〜２７）を作動する
ことを特徴とする付記４０乃至５４のいずれか１つに記載の作動方法。
［付記５６］
ａ）特定の１つの色のコーティング剤のみが、前記搬送経路（２，１２）の各分岐のそれぞれで塗られ、
ｂ）前記搬送経路（２，１２）の各分岐で塗られる過剰のコーティング剤は、前記各分岐で個別に再使用される
ことを特徴とする付記４０乃至５５のいずれか１つに記載の作動方法。
［付記５７］
前記搬送経路（２，１２）の一方の分岐上の処理ステーションが作動する一方で、前記搬送経路（２，１２）の別の分岐上の別の処理ステーションは、
ａ）据え付けられ、
ｂ）除去され、
ｃ）保持され、
ｄ）試験され、
ｅ）最適化され、または、
ｆ）訓練目的で用いられる
ことを特徴とする付記４０乃至５６のいずれか１つに記載の作動方法。
［付記５８］
以下のステップ、即ち、
ａ）前記搬送経路の各分岐での工程の進捗を決定するステップと、
ｂ）進入する前記コーティング対象を、工程の進捗が最大の前記搬送経路の分岐にそれぞれ分配するステップと、を含む
ことを特徴とする付記４０乃至５７のいずれか１つに記載の作動方法。
［付記５９］
前記搬送経路に到達する前記コーティング対象は、前記コーティング設備を作動するために先に定義された最適化目標に従って、前記搬送経路の並列分岐の間で分配される
ことを特徴とする付記４０乃至５８のいずれか１つに記載の作動方法。
［付記６０］
以下の前記コーティング設備の作動のための最適化目標、即ち、
ａ）色損失を最小にすること、
ｂ）色切換による損失を最小にすること、
ｃ）前記コーティング対象を中間保管するための入口または出口側にある緩衝保管領域に必要な大きさを最小にすること、
ｄ）前記コーティング装置のコーティング能力を最大にすること、
ｅ）要望される製品のそれぞれの種類に応じて異なる種類のコーティング対象を出来る限り均等に分配すること、
ｆ）入口側の組立領域および／または出口側の最終組立作業領域からの要求項目に最適な方法で対応すること、
ｇ）コーティング品質、
ｈ）前記各コーティング対象を搬送するために用いられる搬送滑りの持続時間を最小にし、あるいは制限すること、および／または、
ｉ）前記コーティング剤が沈殿するのを避けるために、用いられるコーティング剤の保管時間を最小にし、あるいは制限すること、を有する
ことを特徴とする付記５９に記載の作動方法。
［付記６１］
前記最適化目標は、異なる優先順位を有する
ことを特徴とする付記５９または６０に記載の作動方法。
［付記６２］
プライマーおよび／またはベースコートおよび／またはクリアコートは、少なくとも１つのコーティングステーションで、湿式で順次塗られる
ことを特徴とする付記４０乃至６１のいずれか１つに記載の作動方法。
［付記６３］
複数の塗装工程ステップは、それぞれの前記コーティング対象が中間搬送をされることなく、前記各コーティングステーションで、それぞれの前記コーティング対象に対して順次実行される
ことを特徴とする付記４０乃至６２のいずれか１つに記載の作動方法。
［付記６４］
以下の塗装工程ステップ、即ち、
ａ）プライマーを塗るステップと、
ｂ）ベースコートを塗るステップと、
ｃ）クリアコートを塗るステップと、
ｄ）前記コーティング対象を内部塗装するステップと、
ｅ）前記コーティング対象を外部塗装するステップと、が順次実行される
ことを特徴とする付記６３に記載の作動方法。
［付記６５］
以下の塗装工程ステップ、即ち、
ａ）プライマーを前記コーティング対象の内部と前記コーティング対象の外表面に塗るステップおよび／または、
ｂ）ベースコートを前記コーティング対象の内部と前記コーティング対象の外表面に塗るステップおよび／または
ｃ）クリアコートを前記コーティング対象の内部と前記コーティング対象の外表面に塗るステップが、それぞれの前記コーティング対象が中間搬送されることなく、少なくとも１つの前記コーティングステーションで実行される
ことを特徴とする付記６３または６４に記載の作動方法。
【符号の説明】
【０１５０】
１  自動車の車体
２  搬送経路
３  横行区間
４  回転装置
５，６，７，８，９  搬送経路の分岐
１０  横行区間
１１  回転装置
１２  搬送経路
１３，１４，１５，１６，１７  塗装ブース
１８，１９，２０，２１，２２  入口側の蒸発乾燥ステーション
２３，２４，２５，２６，２７  出口側の蒸発乾燥ステーション
２８  読取ステーション
２９  入口側の搬送経路
３０，３１，３２，３３  分岐
３４  共通搬送経路
３５，３６，３７  並列分岐
３８  共通搬送経路
３９  塗装ブース
４０  自動車の車体
４１  搬送経路
４２，４３  クリアコート塗装ロボット
４４，４５  ベースコート塗装ロボット
４６，４７  ドア
４８  搬送経路
４９，５０  蒸発乾燥ステーション
５１  塗装ステーション
５２  パウダー供給装置
５３  パウダー再利用装置
５４，５５，５６，５７  並列分岐
５８，５９，６０，６１  塗装ブース
６２，６３，６４，６５  蒸発乾燥ステーション
６６  横行区間
６７，６８，６９，７０  並列分岐
７１，７２，７３，７４  プラズマ炉
７５  螺旋状昇降機
７６  搬送経路の分岐
７７，７８，７９  処理ステーション
８０  環状コンベアー
８１  回転装置
８２，８３  プラズマ炉
８４，８５，８６，８７  塗装ブース
８８，８９，９０，９１  分岐
９２  環状ライン
９３  送出ライン
９４  戻りライン
９５，９６，９７，９８  エネルギー鎖出口
Ａ，Ｂ  自動車の車体
Ｈ  ハンドリングロボット
Ｒ  塗装ロボット
【図１】
2014168776.tif 000003
【図２】
2014168776.tif 000004
【図３】
2014168776.tif 000005
【図４】
2014168776.tif 000006
【図５】
2014168776.tif 000007
【図６】
2014168776.tif 000008
【図７】
2014168776.tif 000009
【図８】
2014168776.tif 000010
【図９】
2014168776.tif 000011
【図１０】
2014168776.tif 000012
【図１１】
2014168776.tif 000013
【図１２】
2014168776.tif 000014
【図１３】
2014168776.tif 000015
【図１４Ａ】
2014168776.tif 000016
【図１４Ｂ】
2014168776.tif 000017
【図１４Ｃ】
2014168776.tif 000018